(57)【特許請求の範囲】
【請求項１】
端末装置によって行われる方法であって、前記方法は、
セカンダリセルと関連付けられる物理セル識別子情報要素を基地局装置から受信し、
前記物理セル識別子情報要素に基づいて前記セカンダリセルの物理レイヤセルアイデンティティを確定し、
前記セカンダリセル上の物理チャネルまたは信号に用いられるパラメータとして前記物理レイヤセルアイデンティティを適用し、
プライマリセルにおけるプライマリ同期信号およびセカンダリ同期信号は、５ｍｓ単位で送信されると想定し、
前記セカンダリセルがアンライセンスＬＴＥキャリア周波数上にある場合、前記セカンダリセルにおけるプライマリ同期信号およびセカンダリ同期信号は、５ｍｓ単位ではなく、いくつかの機会においてのみ送信されると想定し、
前記セカンダリセルがアンライセンスＬＴＥキャリア周波数上にない場合、前記セカンダリセルにおけるプライマリ同期信号およびセカンダリ同期信号は５ｍｓ単位で送信されると想定する、
ことを含む方法。
【請求項２】
前記基地局装置から受信した下りリンクキャリア周波数情報要素に基づいて前記セカンダリセルがアンライセンスＬＴＥキャリア周波数上にあると判断することをさらに含む、請求項１に記載の方法。
【請求項３】
前記セカンダリセルの絶対無線周波数チャネル番号を前記下りリンクキャリア周波数情報要素から取得することをさらに含み、
前記絶対無線周波数チャネル番号はアンライセンスＬＴＥキャリア周波数に対応する、請求項２に記載の方法。
【請求項４】
前記物理セル識別子情報要素は、ｐｈｙｓＣｅｌｌＩｄ‐ｒ１０情報要素であり、
前記下りリンクキャリア周波数情報要素は、ｄｌ‐ＣａｒｒｉｅｒＦｒｅｑ‐ｒ１０情報要素またはｄｌ‐ＣａｒｒｉｅｒＦｒｅｑ‐ｖ１０９０情報要素のうちの１つであり、
前記物理セル識別子情報要素および前記下りリンクキャリア周波数情報要素は、ｓＣｅｌｌＴｏＡｄｄＭｏｄＬｉｓｔ‐ｒ１０情報要素に含められる、請求項２に記載の方法。
【請求項５】
前記セカンダリセルがアンライセンスＬＴＥキャリア周波数上にあるという指示に基づく情報要素を前記基地局装置から受信することに基づいて、前記セカンダリセルがアンライセンスＬＴＥキャリア周波数上にあると判断することをさらに含む、請求項１に記載の方法。
【請求項６】
前記セカンダリセルの前記物理レイヤセルアイデンティティを確定することに、前記セカンダリセルの前記物理レイヤセルアイデンティティを前記物理セル識別子情報要素から得ることが含まれる、請求項１に記載の方法。
【請求項７】
前記セカンダリセル上の物理チャネルまたは信号に用いられるパラメータとして前記物理レイヤセルアイデンティティを適用することに、前記セカンダリセルの前記物理レイヤセルアイデンティティに基づいてスクランブルシーケンス初期化を行うことが含まれる、請求項１に記載の方法。
【請求項８】
基地局装置によって行われる方法であって、前記方法は、
セカンダリセルの物理レイヤセルアイデンティティを確定し、
前記セカンダリセルの前記物理レイヤセルアイデンティティに用いられる物理セル識別子情報要素を端末装置へ送信し、
前記セカンダリセル上の物理チャネルまたは信号に用いられるパラメータとして前記物理レイヤセルアイデンティティを適用し、
前記セカンダリセルがアンライセンスＬＴＥキャリア周波数上にある場合、前記セカンダリセルにおけるプライマリ同期信号およびセカンダリ同期信号を、５ｍｓ単位ではなく、いくつかの機会においてのみ送信し、
前記セカンダリセルがアンライセンスＬＴＥキャリア周波数上にない場合、前記セカンダリセルにおけるプライマリ同期信号およびセカンダリ同期信号を５ｍｓ単位で送信する、
ことを含む方法。
【請求項９】
前記セカンダリセルはアンライセンスＬＴＥキャリア周波数上にあることを示す下りリンクキャリア周波数情報要素を前記端末装置に送信することをさらに含む、請求項８に記載の方法。
【請求項１０】
前記セカンダリセルの絶対無線周波数チャネル番号を前記下りリンクキャリア周波数情報要素から取得することをさらに含み、
前記絶対無線周波数チャネル番号はアンライセンスＬＴＥキャリア周波数に対応する、請求項９に記載の方法。
【請求項１１】
前記物理セル識別子情報要素は、ｐｈｙｓＣｅｌｌＩｄ‐ｒ１０情報要素であり、
前記下りリンクキャリア周波数情報要素は、ｄｌ‐ＣａｒｒｉｅｒＦｒｅｑ‐ｒ１０情報要素またはｄｌ‐ＣａｒｒｉｅｒＦｒｅｑ‐ｖ１０９０情報要素のうちの１つであり、
前記物理セル識別子情報要素および前記下りリンクキャリア周波数情報要素は、ｓＣｅｌｌＴｏＡｄｄＭｏｄＬｉｓｔ‐ｒ１０情報要素に含められる、請求項９に記載の方法。
【請求項１２】
前記セカンダリセルがアンライセンスＬＴＥキャリア周波数上にあるという指示を前記端末装置へ送信することをさらに含む、請求項８に記載の方法。
【請求項１３】
前記セカンダリセルの前記物理レイヤセルアイデンティティは、前記物理セル識別子情報要素に含まれる、請求項８に記載の方法。
【請求項１４】
前記セカンダリセル上の物理チャネルまたは信号に用いられるパラメータとして前記物理レイヤセルアイデンティティを適用することに、前記セカンダリセルの前記物理レイヤセルアイデンティティに基づいてスクランブルシーケンス初期化を行うことが含まれる、請求項８に記載の方法。
【請求項１５】
端末装置であって、
セカンダリセルと関連付けられる物理セル識別子情報要素を基地局装置から受信する手段と、
前記物理セル識別子情報要素に基づいて前記セカンダリセルの物理レイヤセルアイデンティティを確定する手段と、
前記セカンダリセル上の物理チャネルまたは信号に用いられるパラメータとして前記物理レイヤセルアイデンティティを適用する手段と、を備え、
プライマリセルにおけるプライマリ同期信号およびセカンダリ同期信号は、５ｍｓ単位で送信されると想定し、
前記セカンダリセルがアンライセンスＬＴＥキャリア周波数上にある場合、前記セカンダリセルにおけるプライマリ同期信号およびセカンダリ同期信号は、５ｍｓ単位ではなく、いくつかの機会においてのみ送信されると想定し、
前記セカンダリセルがアンライセンスＬＴＥキャリア周波数上にない場合、前記セカンダリセルにおけるプライマリ同期信号およびセカンダリ同期信号は５ｍｓ単位で送信されると想定する、
端末装置。
【請求項１６】
前記基地局装置から受信した下りリンクキャリア周波数情報要素に基づいて前記セカンダリセルがアンライセンスＬＴＥキャリア周波数上にあると判断する手段をさらに備える、請求項１５に記載の端末装置。
【請求項１７】
前記セカンダリセルの絶対無線周波数チャネル番号を前記下りリンクキャリア周波数情報要素から取得する手段をさらに備え、
前記絶対無線周波数チャネル番号はアンライセンスＬＴＥキャリア周波数に対応する、請求項１６に記載の端末装置。
【請求項１８】
前記セカンダリセルがアンライセンスＬＴＥキャリア周波数上にあるという指示に基づく情報要素を前記基地局装置から受信することに基づいて、前記セカンダリセルがアンライセンスＬＴＥキャリア周波数上にあると判断する手段をさらに備える、請求項１５に記載の端末装置。
【請求項１９】
前記セカンダリセルの前記物理レイヤセルアイデンティティを確定する手段は、前記セカンダリセルの前記物理レイヤセルアイデンティティを前記物理セル識別子情報要素からさらに取得する、請求項１５に記載の端末装置。
【請求項２０】
前記セカンダリセル上の物理チャネルまたは信号に用いられるパラメータとして前記物理レイヤセルアイデンティティを適用する手段は、前記セカンダリセルの前記物理レイヤセルアイデンティティに基づいてスクランブルシーケンス初期化をさらに行う、請求項１５に記載の端末装置。
【請求項２１】
基地局装置であって、
セカンダリセルの物理レイヤセルアイデンティティを確定する手段と、
前記セカンダリセルの前記物理レイヤセルアイデンティティに用いられる物理セル識別子情報要素を端末装置へ送信する手段と、
前記セカンダリセル上の物理チャネルまたは信号に用いられるパラメータとして前記物理レイヤセルアイデンティティを適用する手段と、を備え、
前記セカンダリセルがアンライセンスＬＴＥキャリア周波数上にある場合、前記セカンダリセルにおけるプライマリ同期信号およびセカンダリ同期信号を、５ｍｓ単位ではなく、いくつかの機会においてのみ送信し、
前記セカンダリセルがアンライセンスＬＴＥキャリア周波数上にない場合、前記セカンダリセルにおけるプライマリ同期信号およびセカンダリ同期信号を５ｍｓ単位で送信する、
基地局装置。
【請求項２２】
前記セカンダリセルはアンライセンスＬＴＥキャリア周波数上にあることを示す下りリンクキャリア周波数情報要素を前記端末装置に送信する手段をさらに備える、請求項２１に記載の基地局装置。
【請求項２３】
前記セカンダリセルがアンライセンスＬＴＥキャリア周波数上にあるという指示を前記端末装置へ送信する手段をさらに備える、請求項２１に記載の基地局装置。
【請求項２４】
前記セカンダリセルの前記物理レイヤセルアイデンティティは、前記物理セル識別子情報要素に含まれる、請求項２１に記載の基地局装置。
【請求項２５】
前記セカンダリセル上の物理チャネルまたは信号に用いられるパラメータとして前記物理レイヤセルアイデンティティを適用する手段は、前記セカンダリセルの前記物理レイヤセルアイデンティティに基づいてスクランブルシーケンス初期化をさらに行う、請求項２１に記載の基地局装置。
【発明の詳細な説明】
【技術分野】
【０００１】
本開示は、一般に、通信システムに関する。より具体的には、本開示は、セカンダリセル（ＳＣｅｌｌ）ＩＤ選択のためのシステムおよび方法に関する。
【背景技術】
【０００２】
ワイヤレス通信デバイスは、消費者ニーズを満たし、可搬性と便利さとを改善するためにより小さく、より強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率を向上させることがいくつかの問題を提起することがある。
【発明の概要】
【課題を解決するための手段】
【０００４】
例えば、アンライセンス・スペクトルで送信しているワイヤレス通信デバイスは、他のワイヤレス・デバイスと干渉することがある。アンライセンス・スペクトルでの送信の競合を回避するためには、ワイヤレス通信デバイスが送信前にチャネルがアイドルとなるまで待機するとよい。しかしながら、ロング・ターム・エボリューション（ＬＴＥ：Ｌｏｎｇ‐Ｔｅｒｍ  Ｅｖｏｌｕｔｉｏｎ）通信システムで動作しているワイヤレス通信デバイスは、ほぼ連続的に送信する。それゆえに、ＬＴＥデバイスは、アンライセンス・スペクトルで動作している他のワイヤレス通信デバイスと干渉することがある。この考察により示されるように、干渉を低減するシステムおよび方法が有益であろう。
【図面の簡単な説明】
【０００５】
【図１】ＳＣｅｌｌ  ＩＤ選択のためのシステムおよび方法が実装された１つ以上のｅＮＢおよび１つ以上のＵＥの一構成を示すブロック図である。
【図２】ＵＥによるＳＣｅｌｌ  ＩＤ選択のための方法の一実装を示すフロー図である。
【図３】ｅＮＢによるＳＣｅｌｌ  ＩＤ選択のための方法の一実装を示すフロー図である。
【図４】ＵＥによるＳＣｅｌｌ  ＩＤ選択のための方法の別の実装を示すフロー図である。
【図５】ＵＥによるＳＣｅｌｌ  ＩＤ選択のための方法のさらに別の実装を示すフロー図である。
【図６】ＳＣｅｌｌ  ＩＤ選択を行うためのｅＮＢおよびＵＥの詳細な構成を示すブロック図である。
【図７】ＵＥによるＳＣｅｌｌ  ＩＤ選択のための方法のより詳細な実装を示すフロー図である。
【図８】ＵＥにおいて利用される様々なコンポーネントを示す。
【図９】ｅＮＢにおいて利用される様々なコンポーネントを示す。
【図１０】フィードバック・レポーティングのためのシステムおよび方法が実装されたＵＥの一構成を示すブロック図である。
【図１１】フィードバック・レポーティングのためのシステムおよび方法が実装されたｅＮＢの一構成を示すブロック図である。
【発明を実施するための形態】
【０００６】
端末装置（ＵＥ：Ｕｓｅｒ  Ｅｑｕｉｐｍｅｎｔ）によって行われる方法が記載される。方法は、物理セル識別子情報要素（ＩＥ：ｉｎｆｏｒｍａｔｉｏｎ  ｅｌｅｍｅｎｔ）を基地局装置（ｅＮＢ：ｅｖｏｌｖｅｄ  ｎｏｄｅ  Ｂ）から受信するステップを含む。物理セル識別子ＩＥは、アンライセンス・ロング・ターム・エボリューション（ＬＴＥ）キャリア周波数上にあるセカンダリセル（ＳＣｅｌｌ）と関連付けられる。方法は、物理セル識別子ＩＥに基づいてＳＣｅｌｌの物理レイヤセルアイデンティティ（ＰＣＩ：ｐｈｉｓｉｃａｌ‐ｌａｙｅｒ  ｃｅｌｌ  ｉｄｅｎｔｉｔｙ）を確定するステップも含む。方法は、ＳＣｅｌｌ上の物理チャネルまたは信号のためのパラメータとしてＰＣＩを適用するステップをさらに含む。
【０００７】
方法は、ｅＮＢから受信した下りリンクキャリア周波数ＩＥに基づいてＳＣｅｌｌがアンライセンスＬＴＥキャリア周波数上にあると判断するステップも含みうる。ＳＣｅｌｌがアンライセンスＬＴＥキャリア周波数上にあると判断するステップは、ＳＣｅｌｌの絶対無線周波数チャネル番号（ＡＲＦＣＮ：ａｂｓｏｌｕｔｅ  ｒａｄｉｏ  ｆｒｅｑｕｅｎｃｙ  ｃｈａｎｎｅｌ  ｎｕｍｂｅｒ）を下りリンクキャリア周波数ＩＥから得るステップを含みうる。方法は、ＡＲＦＣＮがアンライセンスＬＴＥキャリア周波数に対応すると判断するステップも含みうる。ＡＲＦＣＮがアンライセンスＬＴＥキャリア周波数に対応すると判断するステップは、ＳＣｅｌｌと関連付けられたキャリア周波数を得るためにＡＲＦＣＮを用いてテーブルルックアップを行うステップを含みうる。
【０００８】
物理セル識別子ＩＥは、ｐｈｙｓＣｅｌｌＩｄ‐ｒ１０  ＩＥであってもよい。下りリンクキャリア周波数ＩＥは、ｄｌ‐ＣａｒｒｉｅｒＦｒｅｑ‐ｒ１０  ＩＥまたはｄｌ‐ＣａｒｒｉｅｒＦｒｅｑ‐ｖ１０９０  ＩＥのうちの１つであってもよい。物理セル識別子ＩＥおよび下りリンクキャリア周波数ＩＥは、ｓＣｅｌｌＴｏＡｄｄＭｏｄＬｉｓｔ‐ｒ１０  ＩＥに含められてもよい。
【０００９】
方法は、ＳＣｅｌｌがアンライセンスＬＴＥキャリア周波数上にあるという指示に基づくＩＥをｅＮＢから受信するステップに基づいて、ＳＣｅｌｌがアンライセンスＬＴＥキャリア周波数上にあると判断するステップも含みうる。
【００１０】
ＳＣｅｌｌのＰＣＩを確定するステップは、ＳＣｅｌｌのＰＣＩを物理セル識別子ＩＥから得るステップを含みうる。ＳＣｅｌｌ上の物理チャネルまたは信号のためのパラメータとしてＰＣＩを適用するステップは、ＳＣｅｌｌのＰＣＩに基づいてスクランブルシーケンス初期化を行うステップを含みうる。
【００１１】
方法は、ＳＣｅｌｌによってプライマリ同期信号（ＰＳＳ：ｐｒｉｍａｒｙ  ｓｙｎｃｈｒｏｎｉｚａｔｉｏｎ  ｓｉｇｎａｌ）もセカンダリ同期信号（ＳＳＳ：ｓｅｃｏｎｄａｒｙ  ｓｙｎｃｈｒｏｎｉｚａｔｉｏｎ  ｓｉｇｎａｌ）も送信されないと想定するステップも含みうる。方法は、ＳＣｅｌｌおよびプライマリセル（ＰＣｅｌｌ）が少なくとも時刻同期されていると想定するステップをさらに含みうる。
【００１２】
ｅＮＢによって行われる方法が記載される。方法は、アンライセンスＬＴＥキャリア周波数上にあるＳＣｅｌｌのＰＣＩを確定するステップを含む。方法は、ＳＣｅｌｌのＰＣＩのための物理セル識別子ＩＥをＵＥへ送信するステップも含む。方法は、ＳＣｅｌｌ上の物理チャネルまたは信号のためのパラメータとしてＰＣＩを適用するステップをさらに含む。
【００１３】
方法は、ＵＥへ送信された下りリンクキャリア周波数ＩＥに基づいてＳＣｅｌｌはアンライセンスＬＴＥキャリア周波数上にあるとＵＥが判断することを想定するステップも含みうる。ＳＣｅｌｌがアンライセンスＬＴＥキャリア周波数上にあると判断するステップは、ＳＣｅｌｌのＡＲＦＣＮを下りリンクキャリア周波数ＩＥから得るステップを備える。ＳＣｅｌｌがアンライセンスＬＴＥキャリア周波数上にあると判断するステップは、ＡＲＦＣＮがアンライセンスＬＴＥキャリア周波数に対応すると判断するステップも備える。ＡＲＦＣＮがアンライセンスＬＴＥキャリア周波数に対応すると判断するステップは、ＳＣｅｌｌと関連付けられたキャリア周波数を得るためにＡＲＦＣＮを用いてテーブルルックアップを行うステップを備える。
【００１４】
方法は、ＳＣｅｌｌがアンライセンスＬＴＥキャリア周波数上にあるという指示を、ＵＥへ、送信するステップも含みうる。
【００１５】
ＳＣｅｌｌのＰＣＩは、物理セル識別子ＩＥに含められてもよい。ＳＣｅｌｌ上の物理チャネルまたは信号のためのパラメータとしてＰＣＩを適用するステップは、ＳＣｅｌｌのＰＣＩに基づいてスクランブルシーケンス初期化を行うステップを含みうる。
【００１６】
ＳＣｅｌｌは、ＰＳＳもＳＳＳも送信することがない。ＳＣｅｌｌおよびＰＣｅｌｌは、少なくとも時刻同期されるとよい。
【００１７】
ＵＥも記載される。ＵＥは、プロセッサと、プロセッサと電子通信を行うメモリとを含む。メモリに記憶された命令は、物理セル識別子ＩＥをｅＮＢから受信するためにプロセッサによって実行可能である。物理セル識別子ＩＥは、アンライセンスＬＴＥキャリア周波数上にあるＳＣｅｌｌと関連付けられる。命令は、物理セル識別子ＩＥに基づいてＳＣｅｌｌのＰＣＩを確定するためにも実行可能である。命令は、ＳＣｅｌｌ上の物理チャネルまたは信号のためのパラメータとしてＰＣＩを適用するためにさらに実行可能である。
【００１８】
ｅＮＢも記載される。ｅＮＢは、プロセッサと、プロセッサと電子通信を行うメモリとを含む。メモリに記憶された命令は、アンライセンスＬＴＥキャリア周波数上にあるＳＣｅｌｌのＰＣＩを確定するためにプロセッサによって実行可能である。命令は、ＳＣｅｌｌのＰＣＩのための物理セル識別子ＩＥをＵＥへ送信するためにも実行可能である。命令は、ＳＣｅｌｌ上の物理チャネルまたは信号のためのパラメータとしてＰＣＩを適用するためにさらに実行可能である。
【００１９】
第３世代パートナーシップ・プロジェクトは、「３ＧＰＰ」とも呼ばれ、第３および第４世代ワイヤレス通信システムに関する世界的に適用可能な技術仕様および技術レポートを規定することを目指した連携合意である。３ＧＰＰは、次世代モバイル・ネットワーク、システムおよびデバイスに関する仕様を規定する。
【００２０】
３ＧＰＰロング・ターム・エボリューション（ＬＴＥ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、イボルブド・ユニバーサル地上無線アクセス（Ｅ‐ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）およびイボルブド・ユニバーサル地上無線アクセス・ネットワーク（Ｅ‐ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００２１】
本明細書に開示されるシステムおよび方法の少なくともいくつかの態様は、３ＧＰＰ  ＬＴＥ、ＬＴＥアドバンスト（ＬＴＥ‐Ａ：ＬＴＥ‐Ａｄｖａｎｃｅｄ）および他の規格（例えば、３ＧＰＰリリース８、９、１０、１１および／または１２）に関して記載される。しかしながら、本開示の範囲は、この点で限定されるべきではない。本明細書に開示されるシステムおよび方法の少なくともいくつかの態様は、他のタイプのワイヤレス通信システムにおいて利用されてもよい。
【００２２】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書においてシステムおよび方法を記載するときに、ワイヤレス通信デバイスは、代わりに、移動局、端末装置（ＵＥ）、アクセス端末、加入者局、移動端末、遠隔局、ユーザ端末、端末、加入者ユニット、モバイルデバイスなどと呼ばれる。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は３ＧＰＰ規格に限定されるべきではないので、より一般的な用語「ワイヤレス通信デバイス」を意味するために本明細書では用語「ＵＥ」および「ワイヤレス通信デバイス」が同義で用いられる。
【００２３】
３ＧＰＰ仕様では、基地局は、典型的にＮｏｄｅ  Ｂ、ｅｖｏｌｖｅｄ  Ｎｏｄｅ  Ｂ（ｅＮＢ）、ｈｏｍｅ  ｅｎｈａｎｃｅｄまたはｅｖｏｌｖｅｄ  Ｎｏｄｅ  Ｂ（ＨｅＮＢ）あるいはいくつかの他の同様の用語法で呼ばれる。本開示の範囲は３ＧＰＰ規格に限定されるべきではないので、より一般的な用語「基地局」を意味するために本明細書では用語「基地局」、「Ｎｏｄｅ  Ｂ」、「ｅＮＢ」および「ＨｅＮＢ」が同義で用いられる。そのうえ、用語「基地局」は、アクセスポイントを示すために用いられてもよい。アクセスポイントは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスであってもよい。用語「通信デバイス」は、ワイヤレス通信デバイス（例えば、ＵＥ）および／または基地局（例えば、ｅＮＢ）の両方を示すために用いられてもよい。
【００２４】
本明細書では、「セル」は、インターナショナル・モバイル・テレコミュニケーションズ‐アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いるべく規格化または規制団体によって仕様が定められたいずれかの通信チャネルであり、ｅＮＢとＵＥとの間の通信に用いるためのライセンスバンド（例えば、周波数バンド）としてそのすべてまたはそのサブセットが３ＧＰＰによって採用されることに留意すべきである。同様に留意すべきは、Ｅ‐ＵＴＲＡおよびＥ‐ＵＴＲＡＮの全体的な記載において、本明細書では、「セル」が「下りリンク・リソースおよび随意的に上りリンク・リソースの組み合わせ」として定義されることである。下りリンク・リソースのキャリア周波数と上りリンク・リソースのキャリア周波数との間のリンキングが下りリンク・リソース上で送信されるシステム情報で示されてもよい。
【００２５】
「構成セル（ｃｏｎｆｉｇｕｒｅｄ  ｃｅｌｌ）」は、ＵＥが認識しており、情報を送信または受信することがｅＮＢによって許容されたセルである。「構成セル（単数または複数）」は、在圏セル（単数または複数）であってもよい。ＵＥは、すべての構成セル上でシステム情報を受信して必要な測定を行う。無線接続のための「構成セル（単数または複数）」は、プライマリセル、および／または０、１つまたはそれ以上のセカンダリセル（単数または複数）からなってもよい。「アクティブ化されたセル（ａｃｔｉｖａｔｅｄ  ｃｅｌｌ）」は、ＵＥが送受信を行っている構成セルである。すなわち、アクティブ化されたセルは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタする対象となるセルであり、下りリンク送信のケースでは、ＵＥが物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）を復号する対象となるセルである。いくつかの構成において、セカンダリセル（ＳＣｅｌｌ）は、ＰＤＣＣＨをモニタすることがないことに留意すべきである。例えば、プライマリセル（ＰＣｅｌｌ）によるＳＣｅｌｌのクロスキャリアスケジューリングの間に、ＰＣｅｌｌのＰＤＣＣＨにおける情報（例えば、キャリアインジケータフィールド（ＣＩＦ：ｃａｒｒｉｅｒ  ｉｎｄｉｃａｔｏｒ  ｆｉｅｌｄ）中の１つ以上のビット）は、ＰＣｅｌｌによって受信されたＰＤＣＣＨがＳＣｅｌｌを対象とすることを示してもよい。
【００２６】
「非アクティブ化されたセル（ｄｅａｃｔｉｖａｔｅｄ  ｃｅｌｌ）」は、ＵＥが送信ＰＤＣＣＨをモニタしていない構成セルである。留意すべきは、「セル」が異なる次元の観点から記載されることである。例えば、「セル」は、時間、空間（例えば、地理的）および周波数特性を有しうる。
【００２７】
キャリアアグリゲーションは、１つより多いキャリアの同時利用を指す。キャリアアグリゲーションにおいては、１つより多いキャリアがある１つのＵＥに対してアグリゲートされる。一例において、キャリアアグリゲーションは、ＵＥに利用可能な有効バンド幅を増加させるために用いられる。本明細書に用いられる用語「同時の」およびその変形は、２つ以上のイベントが時間的に重なり合うか、および／または時間的に互いに接近して生じることを示すことに留意すべきである。加えて、「同時の」およびその変形は、２つ以上のイベントが正確に同時刻に生じることを意味しても、しなくてもよい。
【００２８】
キャリアアグリゲーション（ＣＡ：ｃａｒｒｉｅｒ  ａｇｇｒｅｇａｔｉｏｎ）が構成されているときに、ＵＥは、ネットワークと１つの無線リソース制御（ＲＲＣ：ｒａｄｉｏ  ｒｅｓｏｕｒｃｅ  ｃｏｎｔｒｏｌ）接続を有しうる。キャリアアグリゲーションを１つの無線インターフェースが提供してもよい。ＲＲＣ接続確立、再確立およびハンドオーバの間に、１つの在圏セルが非アクセス層（ＮＡＳ：ｎｏｎ−ａｃｃｅｓｓ  ｓｔｒａｔｕｍ）モビリティ情報（例えば、トラッキングエリアアイデンティティ（ＴＡＩ：ｔｒａｃｋｉｎｇ  ａｒｅａ  ｉｄｅｎｔｉｔｙ））を提供してもよい。ＲＲＣ接続再確立およびハンドオーバの間には、１つの在圏セルがセキュリティ入力を提供してもよい。このセルは、プライマリセル（ＰＣｅｌｌ）と呼ばれる。下りリンクでは、ＰＣｅｌｌに対応するコンポーネントキャリアが下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）であり、一方で上りリンクでは、ＰＣｅｌｌに対応するコンポーネントキャリアは、上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）である。
【００２９】
ＵＥの能力に依存して、ＰＣｅｌｌとともに在圏セルのセットを形成するために１つ以上のセカンダリセル（ＳＣｅｌｌ）が設定されもよい。下りリンクでは、ＳＣｅｌｌに対応するコンポーネントキャリアが下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  ｃａｒｒｉｅｒ）であり、一方で上りリンクでは、ＳＣｅｌｌに対応するコンポーネントキャリアは、上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）である。
【００３０】
ＵＥのために構成された在圏セルのセットは、それゆえに、１つのＰＣｅｌｌおよび１つ以上のＳＣｅｌｌからなる。ＳＣｅｌｌごとに、ＵＥによる（下りリンク・リソースに加えて）上りリンク・リソースの使用法が設定可能であってもよい。構成されるＤＬ  ＳＣＣの数がＵＬ  ＳＣＣの数以上であってもよく、ＳＣｅｌｌは、上りリンク・リソースのみの使用のために設定されることはない。
【００３１】
ＵＥの観点から、各上りリンク・リソースが１つの在圏セルに属してもよい。構成される在圏セルの数は、ＵＥのアグリゲーション能力に依存する。ＰＣｅｌｌは、ハンドオーバ手順を用いて（例えば、セキュリティ・キー変更およびランダムアクセスチャネル（ＲＡＣＨ：ｒａｎｄｏｍ  ａｃｃｅｓｓ  ｃｈａｎｎｅｌ）手順によって）のみ変更される。ＰＣｅｌｌは、ＰＵＣＣＨの送信に用いられる。ＳＣｅｌｌとは異なり、ＰＣｅｌｌは、非アクティブ化されない。再確立は、ＰＣｅｌｌが無線リンク障害（ＲＬＦ：ｒａｄｉｏ  ｌｉｎｋ  ｆａｉｌｕｒｅ）を経験したときにトリガされ、ＳＣｅｌｌがＲＬＦを経験したときにはトリガされない。そのうえ、ＮＡＳ情報は、ＰＣｅｌｌから取得される。
【００３２】
ＳＣｅｌｌの再構成、追加および除去は、ＲＲＣによって行われる。ＬＴＥ内ハンドオーバにおいても、ＲＲＣは、ターゲットＰＣｅｌｌとともに用いるためにＳＣｅｌｌを追加、除去または再構成する。新しいＳＣｅｌｌを追加するときには、ＳＣｅｌｌのすべての必要なシステム情報を送信するために専用ＲＲＣシグナリングが用いられる（例えば、接続モードの間に、ＵＥは、ブロードキャストされたシステム情報をＳＣｅｌｌから直接に取得する必要がない）。
【００３３】
周波数分割複信（ＦＤＤ：ｆｒｅｑｕｅｎｃｙ  ｄｉｖｉｓｉｏｎ  ｄｕｐｌｅｘｉｎｇ）セルが必要とするスペクトルは、スペクトルの連続的なサブセットが完全に上りリンク（ＵＬ）または下りリンク（ＤＬ）のいずれかに割り当てられ、両方には割り当てられないスペクトル（例えば、無線通信周波数またはチャネル）である。従って、ＦＤＤは、対をなすキャリア周波数（例えば、対をなすＤＬおよびＵＬキャリア周波数）を有しうる。
【００３４】
時分割複信（ＴＤＤ：ｔｉｍｅ  ｄｉｖｉｓｉｏｎ  ｄｕｐｌｅｘｉｎｇ）セルは、対をなすチャネルを必要としない。その代わりに、ＴＤＤは、ＵＬおよびＤＬリソースを同じキャリア周波数上に割り当てる。それゆえに、ＴＤＤは、スペクトルの使用法にさらに多くのフレキシビリティを提供する。ワイヤレスネットワーク・トラフィックの増加に伴い、スペクトル資源が非常に貴重になるにつれて、新たに割り当てられるスペクトルは、フラグメント化される傾向にあってより狭いバンド幅を有し、ＴＤＤおよび／またはスモールセルを配備するのにより適している。そのうえ、ＴＤＤは、種々のＴＤＤ  ＵＬ／ＤＬ構成および動的なＤＬ／ＵＬ再構成によるトラフィックアダプテーションを通じてフレキシブルなチャネル使用法を提供する。
【００３５】
いくつかの構成においては、キャリアアグリゲーションに関与するセルがＴＤＤ上り下りリンク（ＵＬ／ＤＬ）構成、およびＦＤＤ構成または両方を利用してもよい。リリース１０におけるＴＤＤ  ＣＡ、およびリリース１１におけるバンド内ＣＡについては同じＴＤＤ  ＵＬ／ＤＬ構成を用いなければならない。リリース１１では、異なるＴＤＤ  ＵＬ／ＤＬ構成を用いたバンド間ＴＤＤ  ＣＡがサポートされる。ＴＤＤセルとＦＤＤセルとの間のキャリアアグリゲーション（ＴＤＤ−ＦＤＤ  ＣＡ、ハイブリッドＣＡまたはハイブリッド復信ネットワークとも呼ばれる）に対するサポートは、３ＧＰＰリリース１２で導入された。異なるＴＤＤ  ＵＬ／ＤＬ構成を用いたバンド間ＴＤＤ  ＣＡは、ＣＡ配備においてＴＤＤネットワークのフレキシビリティを提供する。そのうえ、トラフィックアダプテーションによって強化された干渉管理（ｅＩＭＴＡ：ｅｎｈａｎｃｅｄ  ｉｎｔｅｒｆｅｒｅｎｃｅ  ｍａｎａｇｅｍｅｎｔ  ｗｉｔｈ  ｔｒａｆｆｉｃ  ａｄａｐｔａｔｉｏｎ）（動的ＵＬ／ＤＬ再構成とも呼ばれる）は、ネットワークトラフィック負荷に基づくフレキシブルなＴＤＤ  ＵＬ／ＤＬ再構成を許容する。
【００３６】
ＴＤＤ  ＣＡおよびハイブリッド複信ネットワークに伴って、マクロセルおよびピコ／スモールセルは、異なる周波数バンドを用いる。周波数バンドは、通信チャネルが確立されたスペクトルの小区分である。例えば、典型的なＣＡのケースでは、マクロセルが低い方の周波数バンドを用い、ピコ／スモールセルが高い方の周波数バンドを用いる。ハイブリッド複信ネットワークについて、可能な組み合わせは、マクロセル上にＦＤＤ、およびピコ／スモールセル上にＴＤＤを有することである。
【００３７】
増加するトラフィック需要を満たすために、携帯電話事業者にはさらに多くのスペクトルが必要とされる。保証されたサービス品質（ＱＯＳ：ｑｕａｌｉｔｙ  ｏｆ  ｓｅｒｖｉｃｅ）をユーザに提供するために携帯電話事業者にはライセンス・スペクトルが好まれるが、アンライセンス・スペクトルは、有効にこれを補完すると見做すことができる。いくつかの構成において、アンライセンス・スペクトルは、産業、科学および医療（ＩＳＭ：ｉｎｄｕｓｔｒｉａｌ，ｓｃｉｅｎｔｉｆｉｃ  ａｎｄ  ｍｅｄｉｃａｌ）無線バンドまたはアンライセンス全米情報インフラストラクチャ（ＵＮＩＴ：Ｕｎｌｉｃｅｎｓｅｄ  Ｎａｔｉｏｎａｌ  Ｉｎｆｏｒｍａｔｉｏｎ  Ｉｎｆｒａｓｔｒｕｃｔｕｒｅ）バンドを含みうる。例えば、アンライセンス・スペクトルのいくつかの中心周波数は、以下には限定されないが、２．４ギガヘルツ（ＧＨｚ）および２４．０ＧＨｚを含みうる。ＵＮＩＩバンドは、以下には限定されないが、５．１５〜５．２５ＧＨｚ、および５．７２５〜５．８２５ＧＨｚバンドを含みうる。
【００３８】
他の通信システムまたは電気デバイスがアンライセンス・スペクトルを用いて動作してもよい。例えば、低電力通信システムが通信のためにアンライセンス・スペクトルを用いてもよい。これらの通信システムは、コードレス電話、近距離無線通信（ＮＦＣ：ｎｅａｒ  ｆｉｅｌｄ  ｃｏｍｍｕｎｉｃａｔｉｏｎ）デバイス、Ｂｌｕｅｔｏｏｔｈデバイス、およびワイヤレス・コンピュータ・ネットワーク（例えば、ＩＥＥＥ８０２．１１ａｃ、Ｗｉ‐Ｆｉなど）を含みうる。ＬＴＥがアンライセンス・スペクトルで配備される場合には、共有スペクトルの既存のユーザがＬＴＥによるスペクトルの使用によって悪影響を受けないことを保証するように、そのアンライセンス・スペクトルのプライマリユーザ（もし存在すれば）との共存について慎重に考慮される必要がある。例えば、あるレーダシステムがアンライセンス全米情報インフラストラクチャ・スペクトルの一部分で送信していてもよい。同様に望ましいのは、同じスペクトルを用いているＬＴＥと既存の通信システムとの間の干渉を最小限に抑えることである。
【００３９】
いくつかの通信システム（例えば、Ｗｉ‐Ｆｉ）は、アンライセンス・スペクトル中のある１つのチャネルがアイドルであるとセンシングされたときにのみ送信することによって、送信しているノード間の衝突を回避するために、搬送波感知多重アクセス／衝突回避（ＣＳＭＡ／ＣＡ：ｃａｒｒｉｅｒ  ｓｅｎｓｅ  ｍｕｌｔｉｐｌｅ  ａｃｃｅｓｓ／ｃｏｌｌｉｓｉｏｎ  ａｖｏｉｄａｎｃｅ）を用いる。ＣＳＭＡ／ＣＡノードは、別のノードが送信しているか否かを判断するために、最初に共有スペクトルをリスニングする（例えば、ワイヤレスネットワーク中のワイヤレス信号についてリスニングする）ことによって、チャネルがアイドルであると判断する。別のノードが感知された場合、リスニング・ノードは、空の通信チャネルについて再リスニングする前に、送信ノードが送信を停止するのをある期間にわたって待機することになろう。共有スペクトルが空いているとリスニング・ノードが判断した場合、リスニング・ノードが共有スペクトル上で送信し始める。
【００４０】
ＬＴＥにおいて、セルの同期は、ＵＥがある１つのセルにキャンプオンしようと試みるときにＵＥによって行われる最初のステップであってもよい。同期プロセスから、ＵＥは、そのセルの物理レイヤセルアイデンティティ（ＰＣＩ）、時間スロットおよびフレーム同期を得る。これらのパラメータは、ＵＥが基本データおよびＵＥ固有データを復号して読み出すことを可能にする。基本データは、物理下りリンク共有チャネル（ＰＤＳＣＨ）、物理ブロードキャスト・チャネル（ＰＢＣＨ：ｐｈｙｓｉｃａｌ  ｂｒｏａｄｃａｓｔ  ｃｈａｎｎｅｌ）、物理制御フォーマット・インジケータ・チャネル（ＰＣＦＩＣＨ：ｐｈｙｓｉｃａｌ  ｃｏｎｔｒｏｌ  ｆｏｒｍａｔ  ｉｎｄｉｃａｔｏｒ  ｃｈａｎｎｅｌ）、物理下りリンク制御チャネル（ＰＤＣＣＨ）および物理ハイブリッドＡＲＱインジケータ・チャンネル（ＰＨＩＣＨ：ｐｈｙｓｉｃａｌ  ｈｙｂｒｉｄ  ＡＲＱ  ｉｎｄｉｃａｔｏｒ  ｃｈａｎｎｅｌ）などのうちの１つ以上と関連付けられたデータまたは情報を含みうる。ＵＥ固有データは、ＰＤＣＳＨと関連付けられたセルからのデータまたは情報を含みうる。
【００４１】
ＵＥが特定のバンド／チャネルを取得／チューニングしようと試みている場合、ＵＥは、最初に、ｅＮＢによって送信されたプライマリ同期信号（ＰＳＳ）を見つける。ＰＳＳは、無線フレームの第１のサブフレーム（サブフレーム０）の第１の時間スロットの最後の直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル中に位置する。ＰＳＳは、ＵＥがサブフレーム・レベルで同期されることを可能にする。ＰＳＳは、サブフレーム５で繰り返され、各サブフレームが１ミリ秒（ｍｓ）なので、これは、ＵＥが５ｍｓ単位で同期されることを意味する。ＰＳＳを用いて、ＵＥは、物理レイヤアイデンティティ（０から２）も得る。
【００４２】
次のステップで、ＵＥは、セカンダリ同期信号（ＳＳＳ）を見つける。ＳＳＳシンボルも、ＰＳＳと同じサブフレームに位置するが、ＰＳＳより前のシンボル中に位置する。ＳＳＳを用いて、ＵＥは、物理レイヤセルアイデンティティ・グループ番号（０から１６７）を得る。
【００４３】
物理レイヤアイデンティティおよびセルアイデンティティ・グループ番号を用いて、ＵＥは、ＵＥがチューニングされる対象となるセルのためのＰＣＩを確定する。ＬＴＥでは、許容された５０４通りのＰＣＩがある。ＰＣＩは、ユニークな１６８個のセルレイヤアイデンティティ・グループに分割される。各グループは、３つの物理レイヤアイデンティティからなる。一例において、所定のセルについて物理レイヤアイデンティティが１であり、セルアイデンティティ・グループが２であると仮定すると、所定のセルのためのＰＣＩは、式
ＰＣＩ＝３＊（物理レイヤセルアイデンティティ・グループ）＋（物理レイヤアイデンティティ）＝３＊２＋１＝７
によって得られる。
【００４４】
５０４通りのユニークな物理レイヤセルアイデンティティ（ＰＣＩ）がある。ＰＣＩは、１６８個のユニークな物理レイヤセルアイデンティティ・グループに分けられ、各グループが３つのユニークなアイデンティティを含む。グループ分けは、各ＰＣＩがただ１つの物理レイヤセルアイデンティティ・グループの一部であるようになされる。ＰＣＩ  ＮｃｅｌｌＩＤ＝３Ｎ（１）ＩＤ＋Ｎ（２）ＩＤは、従って、物理レイヤセルアイデンティティ・グループを表す０から１６７までの範囲の番号Ｎ（１）ＩＤ、および物理レイヤセルアイデンティティ・グループ内の物理レイヤアイデンティティを表す０から２までの範囲の番号Ｎ（２）ＩＤによって一意的に定義される。ＰＣｅｌｌおよびアンライセンスＬＴＥキャリア周波数上にない他のＳＣｅｌｌについては、在圏セルの物理レイヤアイデンティティがプライマリ同期信号（ＰＳＳ）およびセカンダリ同期信号（ＳＳＳ）を含めて同期信号に含められる。ＰＣｅｌｌおよびアンライセンスＬＴＥキャリア周波数上にない他のＳＣｅｌｌについては、在圏セルの物理レイヤアイデンティティがＵＥによって在圏セルの同期信号に基づいて検出される。アンライセンスＬＴＥキャリア周波数上にない近接セルの測定については、近接セルの物理レイヤアイデンティティがＵＥによって近接セルの同期信号に基づいて検出される。
【００４５】
ＵＥが所定のセルのためのＰＣＩを一旦確定すると、ＵＥは、セル参照信号の位置も確定する。ＵＥは、さらに、セル上で送信され、かつスクランブルされた（例えば、符号化された）セルの基本データおよびＵＥ固有データをＰＣＩを用いて復号する。
【００４６】
３ＧＰＰのいくつかの構成では、ＬＴＥがアンライセンス・スペクトル（例えば、２．４ＧＨｚ  ＩＳＭおよび５．８ＧＨｚ  ＵＮＩＩバンド）で配備される。言い換えれば、ＬＴＥは、アンライセンスＬＴＥキャリア周波数上にあるセルを利用する。本明細書では、ＬＴＥによって構成されたＵＥによるアンライセンス・スペクトルの使用は、Ｕ−ＬＴＥまたはＬＴＥ−Ｕと呼ばれる。
【００４７】
共有媒体が利用可能であることをセンシングするためのワイヤレス通信システム（例えば、Ｗｉ‐Ｆｉ）によるＣＳＭＡ／ＣＡの使用は、すべてのノードがアイドルの間に無線周波数（ＲＦ）を共有媒体に注入すべきではないことを意味する。ある１つのノードが共有媒体で送信すれば、その共有媒体がビジーに見えるであろう。他方、ＬＴＥのｅＮＢは、共有媒体でＰＳＳおよびＳＳＳをほぼ連続的に送信する。従って、ＬＴＥのｅＮＢがＣＳＭＡ／ＣＡに依存するアンライセンス・スペクトル（例えば、ＩＳＭバンド）で（その現在の構成における）そのプロトコルを送信することになったとすれば、ほぼ連続的なＰＳＳ／ＳＳＳの送信は、その共有媒体をやはり用いている他のＣＳＭＡ／ＣＡノード（例えば、Ｗｉ‐Ｆｉノード）に共有媒体が常にビジーであると判断させたであろう。これは、ＣＳＭＡ／ＣＡノードが共有媒体にそもそもアクセスすることを妨げかねない。そのうえ、ＵＮＩＩバンドのいくつかの領域ではバンドのプライマリユーザであるレーダを検出するためにチャネル利用可能性チェック（Ｃｈａｎｎｅｌ  Ａｖａｉｌａｂｉｌｉｔｙ  Ｃｈｅｃｋ）を行う必要があり、このケースでは、ＰＳＳおよび／またはＳＳＳを時間的に連続して送信することが有益ではありえない。しかしながら、ＬＴＥのＵＥがＬＴＥセルのＰＳＳおよび／またはＳＳＳへアクセスできなければ、ＵＥは、セルのＰＣＩを確定できず、セルから送信されたいずれの基本データおよびＵＥ固有データも復号されない。
【００４８】
ＵＥは、アンライセンスＬＴＥキャリア周波数上のＳＣｅｌｌを用いてキャリアアグリゲーションを行うことから利益を享受する。従って、ＵＥは、ＳＣｅｌｌから送信されたＰＳＳおよび／またはＳＳＳを受信する以外の何らかの手段によって、アンライセンス・スペクトル（例えば、ＩＳＭバンド）で動作しているＳＣｅｌｌのＰＣＩを得ることが可能でなければならない。そのうえ、ＬＴＥによる使用のために特にライセンスされた訳ではない周波数バンドでは、若干修正された３ＧＰＰ  ＬＴＥプロトコルが用いられてもよい。これらのアンライセンス周波数バンドは、ＣＳＭＡ／ＣＡに依存する他の無線アクセス技術（ＲＡＴ：ｒａｄｉｏ  ａｃｃｅｓｓ  ｔｅｃｈｎｏｌｏｇｉｅｓ）（例えば、Ｗｉ−Ｆｉ）によって現在用いられている。
【００４９】
次に、図面を参照して本明細書に開示されるシステムおよび方法の様々な例が記載される。図面中、同様の参照番号は、機能的に類似した要素を示す。本明細書において図面に一般的に記載され、説明されるシステムおよび方法は、多種多様に異なった実装に配置し、かつ設計することができるであろう。従って、図面に表現されるいくつかの実装の以下のさらに詳細な記載は、特許請求の範囲を限定するものではなく、システムおよび方法を単に代表するに過ぎない。
【００５０】
図１は、ＳＣｅｌｌ  ＩＤ選択のためのシステムおよび方法が実装された１つ以上のｅＮＢ１６０および１つ以上のＵＥ１０２の一構成を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、ｅＮＢ１６０から電磁信号を受信する。ｅＮＢ１６０は、１つ以上のアンテナ１８０ａ〜ｎを用いてＵＥ１０２と通信する。
【００５１】
留意すべきは、いくつかの構成において、本明細書に記載されるＵＥ１０２の１つ以上が単一のデバイスで実装されてもよいことである。例えば、いくつかの実装では複数のＵＥ１０２が単一のデバイスに組み合わされてもよい。加えてまたは代わりに、いくつかの構成では、本明細書に記載されるｅＮＢ１６０の１つ以上が単一のデバイスで実装されてもよい。例えば、いくつかの実装では複数のｅＮＢ１６０が単一のデバイスに組み合わされてもよい。図１のコンテキストにおいて、例として、単一のデバイスは、本明細書に記載されるシステムおよび方法に従って１つ以上のＵＥ１０２を含む。加えてまたは代わりに、本明細書に記載されるシステムおよび方法による１つ以上のｅＮＢ１６０が単一のデバイスまたは複数のデバイスとして実装されてもよい。
【００５２】
ＵＥ１０２およびｅＮＢ１６０は、相互に通信するために１つ以上のチャネル１１９、１２１を用いる。例えば、ＵＥ１０２は、１つ以上の上りリンクチャネル１２１および信号を用いてｅＮＢ１６０へ情報またはデータを送信する。上りリンクチャネル１２１の例は、物理上りリンク制御チャネル（ＰＵＣＣＨ）および物理上りリンク共有チャネル（ＰＵＳＣＨ）などを含む。上りリンク信号の例は、復調参照信号（ＤＭＲＳ：ｄｅｍｏｄｕｌａｔｉｏｎ  ｒｅｆｅｒｅｎｃｅ  ｓｉｇｎａｌ）およびサウンディング参照信号（ＳＲＳ：ｓｏｕｎｄｉｎｇ  ｒｅｆｅｒｅｎｃｅ  ｓｉｇｎａｌ）などを含む。１つ以上のｅＮＢ１６０も、例として、１つ以上の下りリンクチャネル１１９および信号を用いて１つ以上のＵＥ１０２へ情報またはデータを送信する。下りリンクチャネル１１９の例は、ＰＤＣＣＨ、ＥＰＤＣＣＨ、ＰＤＳＣＨなどを含む。下りリンク信号の例は、プライマリ同期信号（ＰＳＳ）、セル固有参照信号（ＣＲＳ：ｃｅｌｌ‐ｓｐｅｃｉｆｉｃ  ｒｅｆｅｒｅｎｃｅ  ｓｉｇｎａｌ）、ＰＤＳＣＨと関連付けられたＵＥ固有参照信号（ＤＭ−ＲＳ）、ＥＰＤＣＣＨと関連付けられた復調参照信号（ＤＭ−ＲＳ：ＤｅＭｏｄｕｌａｔｉｏｎ  Ｒｅｆｅｒｅｎｃｅ  Ｓｉｇｎａｌ）、ポジショニング参照信号（ＰＲＳ：Ｐｏｓｉｔｉｏｎｉｎｇ  Ｒｅｆｅｒｅｎｃｅ  Ｓｉｇｎａｌ）、およびチャネル状態情報（ＣＳＩ：ｃｈａｎｎｅｌ  ｓｔａｔｅ  ｉｎｆｏｒｍａｔｉｏｎ）参照信号（ＣＳＩ−ＲＳ：ＣＳＩ  ｒｅｆｅｒｅｎｃｅ  ｓｉｇｎａｌ）などを含む。他の種類のチャネルまたは信号が用いられてもよい。
【００５３】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、１つ以上のデータバッファ１０４および１つ以上のＵＥオペレーション・モジュール１２４を含む。例えば、ＵＥ１０２では１つ以上の受信および／または送信経路が実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【００５４】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００５５】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ復合信号１０６は、受信したペイロード・データを備え、このデータがデータバッファ１０４に記憶される。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【００５６】
本明細書では、用語「モジュール」は、特定の要素またはコンポーネントがハードウェア、ソフトウェアまたはハードウェアとソフトウェアとの組み合わせで実装されることを意味する。しかしながら、本明細書において「モジュール」として示される任意の要素が代わりにハードウェアで実装されてもよいことに留意すべきである。例えば、ＵＥオペレーション・モジュール１２４は、ハードウェア、ソフトウェアまたは両方の組み合わせで実装されてもよい。
【００５７】
一般に、ＵＥオペレーション・モジュール１２４は、ＵＥ１０２が１つ以上のｅＮＢ１６０と通信することを可能にする。ＵＥオペレーション・モジュール１２４は、Ｕ‐ＬＴＥ判断モジュール１２８、ＳＣｅｌｌ  ＰＣＩ確定モジュール１３０およびＵＥ  ＳＣｅｌｌ取得モジュール１３２のうちの１つ以上を含む。
【００５８】
Ｕ‐ＬＴＥ判断モジュール１２８は、ＳＣｅｌｌがアンライセンスＬＴＥ（Ｕ‐ＬＴＥ）キャリア周波数上にあると判断する。いくつかの構成において、ＬＴＥは、先に記載されたように、アンライセンス・スペクトル（例えば、２．４ＧＨｚおよび５．８ＧＨｚ  ＩＳＭバンド）で配備される。共有アンライセンス媒体を用いた他のデバイス（例えば、ＣＳＭＡ／ＣＡデバイス）との競合を回避するために、ｅＮＢ１６０は、アンライセンスＬＴＥキャリア周波数上にあるＳＣｅｌｌ上ではＰＳＳもＳＳＳも送信することがない。代わりに、共有アンライセンス媒体を用いた他のデバイス（例えば、ＣＳＭＡ／ＣＡデバイス）との競合を回避するために、ｅＮＢ１６０は、許容可能な機会にのみアンライセンスＬＴＥキャリア周波数上にあるＳＣｅｌｌ上でＰＳＳまたはＳＳＳを送信してもよい。それゆえに、ＵＥ１０２は、ＳＣｅｌｌから送信されたＰＳＳおよび／またはＳＳＳを受信する以外の何らかの手段によって、アンライセンス・スペクトルで動作しているＳＣｅｌｌのＰＣＩ１２５を得ることが可能でなければならない。
【００５９】
一構成において、Ｕ‐ＬＴＥ判断モジュール１２８は、ｅＮＢ１６０から受信した下りリンク（ＤＬ）キャリア周波数ＩＥ１２７に基づいてＳＣｅｌｌがアンライセンスＬＴＥキャリア周波数上にあると判断する。Ｕ‐ＬＴＥ判断モジュール１２８は、ＳＣｅｌｌの絶対無線周波数チャネル番号（ＡＲＦＣＮ）をＤＬキャリア周波数ＩＥ１２７から得る。Ｕ‐ＬＴＥ判断モジュール１２８は、次に、ＳＣｅｌｌがアンライセンスＬＴＥキャリア周波数上にあるかどうかを判断するために、ＳＣｅｌｌのＡＲＦＣＮを用いてテーブルルックアップを行う。
【００６０】
一構成において、ＤＬキャリア周波数ＩＥ１２７は、ｄｌ‐ＣａｒｒｉｅｒＦｒｅｑ‐ｒ１０  ＩＥまたはｄｌ‐ＣａｒｒｉｅｒＦｒｅｑ‐ｖ１０９０  ＩＥのうちの１つであってもよい。ＤＬキャリア周波数ＩＥ１２７は、ＳＣｅｌｌ追加ＩＥに含められてもよい。例えば、ＳＣｅｌｌ追加ＩＥは、ｓＣｅｌｌＴｏＡｄｄＭｏｄＬｉｓｔ‐ｒ１０  ＩＥであってもよい。
【００６１】
別の構成では、Ｕ‐ＬＴＥ判断モジュール１２８は、ｅＮＢ１６０から受信した指示に基づいてＳＣｅｌｌがアンライセンスＬＴＥキャリア周波数上にあると判断する。この指示は、ＳＣｅｌｌがアンライセンスＬＴＥキャリア周波数上にあることを示す情報要素であってもよい。
【００６２】
ＳＣｅｌｌがアンライセンスＬＴＥキャリア周波数上にある場合、ＳＣｅｌｌ  ＰＣＩ確定モジュール１３０は、物理セル識別子ＩＥ１２３に基づいてＳＣｅｌｌのＰＣＩ１２５を確定する。ＳＣｅｌｌ  ＰＣＩ確定モジュール１３０は、ｅＮＢ１６０から物理セル識別子ＩＥ１２３を受信する。一構成において、物理セル識別子ＩＥ１２３は、ＳＣｅｌｌ追加ＩＥに含められる。ＳＣｅｌｌがアンライセンスＬＴＥキャリア周波数上にあるとＵ‐ＬＴＥ判断モジュール１２８が判断した場合には、ＳＣｅｌｌ  ＰＣＩ確定モジュール１３０は、物理セル識別子ＩＥ１２３からＳＣｅｌｌのＰＣＩ１２５を得る。一構成において、物理セル識別子ＩＥ１２３は、データフィールドにおけるエントリとしてＳＣｅｌｌのＰＣＩ１２５を含む。
【００６３】
ＵＥ  ＳＣｅｌｌ取得モジュール１３２は、ＳＣｅｌｌ上の物理チャネルまたは信号のためのパラメータとしてＰＣＩ１２５を適用する。物理チャネルは、ＰＤＳＣＨ、ＰＢＣＨ、ＰＣＦＩＣＨ、ＰＤＣＣＨおよびＰＨＩＣＨのうちの１つ以上を含む。物理信号は、参照信号および同期信号のうちの１つ以上を含む。参照信号は、セル固有参照信号（ＣＲＳ）、ＭＢＳＦＮ参照信号、ＰＤＳＣＨと関連付けられたＵＥ固有参照信号（ＤＭ−ＲＳ）、ＥＰＤＣＣＨと関連付けられた復調参照信号（ＤＭ−ＲＳ）、ポジショニング参照信号（ＰＲＳ）、およびＣＳＩ参照信号（ＣＳＩ−ＲＳ）のうちの１つ以上を含む。同期信号は、プライマリ同期信号（ＰＳＳ）およびセカンダリ同期信号（ＳＳＳ）のうちの１つ以上を含む。５０４通りのユニークな物理レイヤセルアイデンティティ（ＰＣＩ）がある。例えば、ＵＥ  ＳＣｅｌｌ取得モジュール１３２は、ＳＣｅｌｌのＰＣＩ１２５に基づいてｅＮＢ１６０とともにスクランブルシーケンス初期化を行う。一構成において、スクランブリングシーケンス発生器は、ターゲットセルのＰＣＩ１２５を用いて初期化される。データのスクランブリングが送信における最初のステップであってもよい。逆に、デスクランブリングが受信における最後のステップであってもよい。スクランブリングおよびデスクランブリングのいずれにおいても、ＰＣＩ１２５がスクランブルシーケンス初期化に用いられる。
【００６４】
例えば、コードワードｑごとに、ビットのブロック
【数１】
0006533530.tif 000002
が変調前にスクランブルされ、ここで
【数２】
0006533530.tif 000003
は、物理チャネル上において１つのサブフレームで送信されるコードワードｑにおけるビットの数であり、結果として、
【数３】
0006533530.tif 000004
に従ってスクランブルビットのブロック
【数４】
0006533530.tif 000005
を生じ、ここでスクランブリングシーケンスｃ（ｑ）（ｉ）は、以下に定義される疑似ランダムシーケンスによって与えられる。スクランブリングシーケンス発生器は、各サブフレームの開始において初期化され、ｃｉｎｉｔの初期化値は、
【数５】
0006533530.tif 000006
に従ってトランスポートチャネル・タイプに依存し、ここでｎＲＮＴＩは、ＰＤＳＣＨ送信と関連付けられた無線ネットワーク一時識別子（ＲＮＴＩ：ｒａｄｉｏ  ｎｅｔｗｏｒｋ  ｔｅｍｐｏｒａｒｙ  ｉｄｅｎｔｉｆｉｅｒ）に対応する。
【数６】
0006533530.tif 000007
は、物理レイヤセルアイデンティティである。
【００６５】
疑似ランダムシーケンスは、長さ３１のＧｏｌｄシーケンスによって定義される。長さＭＰＮの出力シーケンスｃ（ｎ）、ここでｎ＝０，１，．．．，ＭＰＮ−１、が
【数７】
0006533530.tif 000008
によって定義され、ここでＮｃ＝１６００であり、第１のｍシーケンスは、ｘ１（０）＝１，ｘ１（ｎ）＝０，ｎ＝１，２，．．．，３０を用いて初期化されるものとする。第２のｍシーケンスの初期化は、
【数８】
0006533530.tif 000009
によって示され、その値は、シーケンスの適用に依存する。
【００６６】
ＰＢＣＨのスクランブリングシーケンスは、ｎｆ  ｍｏｄ４＝０を満たす各無線フレームでｃｉｎｔ＝ＮｃｅｌｌＩＤを用いて初期化される。ｎｆは、システム・フレーム番号である。
【００６７】
ＰＣＦＩＣＨのスクランブリングシーケンス発生器は、各サブフレームの開始において
【数９】
0006533530.tif 000010
を用いて初期化される。ＰＣＦＩＣＨのためのリソース要素へのマッピングは、
【数１０】
0006533530.tif 000011
に基づく。
【００６８】
ＰＤＣＣＨのスクランブリングシーケンス発生器は、各サブフレームの開始において
【数１１】
0006533530.tif 000012
を用いて初期化される。ｎｓは、無線フレーム内のスロット番号である。ＰＤＣＣＨのためのリソース要素へのマッピングは、
【数１２】
0006533530.tif 000013
に基づく。
【００６９】
ＰＨＩＣＨのスクランブリングシーケンス発生器は、各サブフレームの開始において
【数１３】
0006533530.tif 000014
を用いて初期化される。ＰＨＩＣＨのためのリソース要素へのマッピングは、
【数１４】
0006533530.tif 000015
に基づく。
【００７０】
ＣＲＳの参照信号シーケンス
【数１５】
0006533530.tif 000016
は、
【数１６】
0006533530.tif 000017
によって定義され、ここでｎｓは、無線フレーム内のスロット番号であり、ｌは、スロット内のＯＦＤＭシンボル番号である。疑似ランダムシーケンス発生器は、各ＯＦＤＭシンボルの開始において
【数１７】
0006533530.tif 000018
を用いて初期化され、ここで
【数１８】
0006533530.tif 000019
である。
ＣＲＳのセル固有周波数シフトは、
【数１９】
0006533530.tif 000020
に基づく。
【００７１】
アンテナポート５に関して、ＰＤＳＣＨと関連付けられたＵＥ固有参照信号シーケンス
【数２０】
0006533530.tif 000021
は、
【数２１】
0006533530.tif 000022
によって定義され、ここで
【数２２】
0006533530.tif 000023
は、対応するＰＤＳＣＨ送信のリソースブロックにおけるバンド幅を示す。疑似ランダムシーケンス発生器は、各サブフレームの開始において
【数２３】
0006533530.tif 000024
を用いて初期化される。
【００７２】
アンテナポートｐ∈{７，８，．．．，ｖ＋６}のうちのいずれに関しても、ＰＤＳＣＨと関連付けられた参照信号シーケンスｒ（ｍ）は、
【数２４】
0006533530.tif 000025
によって定義される。
【００７３】
疑似ランダムシーケンス発生器は、各サブフレームの開始において
【数２５】
0006533530.tif 000026
を用いて初期化される。量ｎ（ｉ）ＩＤ，ｉ＝０，１，は、上位レイヤによってｎＤＭＲＳ，ｉＩＤの値が何も供給されない場合、またはＰＤＳＣＨ送信と関連付けられたＤＣＩにＤＣＩフォーマット１Ａ、２Ｂもしくは２Ｃが用いられる場合にはｎ（ｉ）ＩＤ＝ＮｃｅｌｌＩＤによって与えられ、そうでない場合にｎ（ｉ）ＩＤ＝ｎＤＭＲＳ，ｉＩＤによって与えられる。
【００７４】
ｎＳＣＩＤの値は、別に指定されない限りゼロである。ポート７または８上のＰＤＳＣＨ送信に関しては、ｎＳＣＩＤがＰＤＳＣＨと関連付けられたＤＣＩフォーマット２Ｂ、２Ｃまたは２Ｄによって与えられる。
【００７５】
ＰＤＳＣＨと関連付けられたＵＥ固有参照信号セルのセル固有周波数シフトは、ＮｃｅｌｌＩＤに基づく。
【００７６】
ＣＳＩ参照信号の参照信号シーケンス
【数２６】
0006533530.tif 000027
は、
【数２７】
0006533530.tif 000028
によって定義され、ここでｎｓは、無線フレーム内のスロット番号であり、ｌは、スロット内のＯＦＤＭシンボル番号である。疑似ランダムシーケンス発生器は、各ＯＦＤＭシンボルの開始において
【数２８】
0006533530.tif 000029
を用いて初期化され、ここで
【数２９】
0006533530.tif 000030
である。量
【数３０】
0006533530.tif 000031
は、上位レイヤによって設定されない限り、
【数３１】
0006533530.tif 000032
に等しい。
【００７７】
ＰＣＩ１２５を用いて、ＵＥ  ＳＣｅｌｌ取得モジュール１３２は、次に、ＳＣｅｌｌからの基本データおよびＵＥ固有データを物理チャネルおよび信号を用いて復号して読み出す。
【００７８】
ＵＥオペレーション・モジュール１２４は、信号１４８を１つ以上の受信機１２０へ供給する。例えば、ＵＥオペレーション・モジュール１２４は、再送信をいつ受信すべきかを受信機（単数または複数）１２０に通知する。
【００７９】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【００８０】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【００８１】
ＵＥオペレーション・モジュール１２４は、情報１４２をエンコーダ１５０に提供する。情報１４２は、符号化すべきデータおよび／または符号化のための命令を含む。例えば、ＵＥオペレーション・モジュール１２４は、送信データ１４６および／または他の情報１４２を符号化するようにエンコーダ１５０に命令する。
【００８２】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重化などを伴う。エンコーダ１５０は、符号化データ１５２を変調器１５４へ供給する。
【００８３】
ＵＥオペレーション・モジュール１２４は、情報１４４を変調器１５４に提供する。例えば、ＵＥオペレーション・モジュール１２４は、ｅＮＢ１６０への送信に用いられることになる変調型（例えば、コンステレーション・マッピング）を変調器１５４に通知する。変調器１５４は、１つ以上の変調信号１５６を１つ以上の送信機１５８へ供給するために符号化データ１５２を変調する。
【００８４】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。例として、１つ以上の送信機１５８は、ＵＬサブフレームの間に送信する。１つ以上の送信機１５８は、１つ以上のｅＮＢ１６０へ変調信号（単数または複数）１５６をアップコンバートして送信する。
【００８５】
ｅＮＢ１６０は、１つ以上のトランシーバ１７６、１つ以上の復調器１７２、１つ以上のデコーダ１６６、１つ以上のエンコーダ１０９、１つ以上の変調器１１３、１つ以上のデータバッファ１６２および１つ以上のｅＮＢオペレーション・モジュール１８２を含む。例えば、ｅＮＢ１６０では１つ以上の受信および／または送信経路が実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【００８６】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２へ供給される。１つ以上の送信機１１７は、１つ以上のアンテナ１８０ａ〜ｎを用いてＵＥ１０２へ信号を送信する。例えば、１つ以上の送信機１１７は、１つ以上の変調信号１１５をアップコンバートして送信する。
【００８７】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される、受信したペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータを供給する。
【００８８】
一般に、ｅＮＢオペレーション・モジュール１８２は、ｅＮＢ１６０が１つ以上のＵＥ１０２と通信することを可能にする。ｅＮＢオペレーション・モジュール１８２は、ＳＣｅｌｌパラメータ確定モジュール１２９およびｅＮＢ  ＳＣｅｌｌ取得モジュール１３１のうちの１つ以上を含む。
【００８９】
ＳＣｅｌｌパラメータ確定モジュール１２９は、アンライセンスＬＴＥキャリア周波数上にあるＳＣｅｌｌのＰＣＩ１２５を確定する。例えば、ｅＮＢ１６０と関連付けられたＳＣｅｌｌごとにＰＣＩ１２５がｅＮＢ１６０の運用保守（ＯＡＭ：ｏｐｅｒａｔｉｏｎ  ａｎｄ  ｍａｉｎｔｅｎａｎｃｅ）によって設定される。いくつかの実装において、ＰＣＩ１２５のアサインメントは、静的またはほぼ静的であってもよい（例えば、ＳＣｅｌｌのＰＣＩ１２５が頻繁には変化しない）。ＳＣｅｌｌパラメータ確定モジュール１２９は、次に、ＰＣＩ１２５をＵＥ１０２へ送信される物理セル識別子ＩＥ１２３に含める。一構成において、物理セル識別子ＩＥ１２３は、ＳＣｅｌｌ追加ＩＥに含められる。
【００９０】
ｅＮＢ  ＳＣｅｌｌ取得モジュール１３１は、ＳＣｅｌｌ上の物理チャネルまたは信号のためのパラメータとしてＰＣＩ１２５を適用する。例えば、ｅＮＢ１６０は、ＳＣｅｌｌのＰＣＩ１２５に基づいてＵＥ１０２とともにスクランブルシーケンス初期化を行う。ＰＣＩ１２５を用いて、ｅＮＢ１６０は、ＳＣｅｌｌからの基本データおよびＵＥ固有データを符号化して送信する。
【００９１】
ｅＮＢ  ＳＣｅｌｌ取得モジュール１３１は、ＵＥ１０２が物理セル識別子ＩＥ１２３に基づいてＳＣｅｌｌのＰＣＩ１２５を確定すると想定する。ＳＣｅｌｌがアンライセンスＬＴＥキャリア周波数上にあるため、ｅＮＢ１６０は、ＳＣｅｌｌ上ではＰＳＳおよび／またはＳＳＳを送信しない。それゆえに、ＵＥ１０２は、ＳＣｅｌｌのＰＣＩ１２５を代わりにｅＮＢ１６０によって送信された物理セル識別子ＩＥ１２３上から得る。例えば、ＵＥ１０２は、ＤＬキャリア周波数ＩＥ１２７またはＵＥ１０２へ送信された指示に基づいて、ＳＣｅｌｌがアンライセンスＬＴＥキャリア周波数上にあると判断する。ＳＣｅｌｌがアンライセンスＬＴＥキャリア周波数上にあるとＵＥ１０２が判断した場合には、ＵＥ１０２は、ＳＣｅｌｌのＰＣＩ１２５を物理セル識別子ＩＥ１２３から得る。
【００９２】
ｅＮＢオペレーション・モジュール１８２は、情報１９０を１つ以上の受信機１７８に提供する。例えば、ｅＮＢオペレーション・モジュール１８２は、ＵＥ（単数または複数）１０２からの送信をいつ受信すべきか、またはいつ受信すべきでないかを受信機（単数または複数）１７８に通知する。
【００９３】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【００９４】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【００９５】
ｅＮＢオペレーション・モジュール１８２は、情報１０１をエンコーダ１０９に提供する。情報１０１は、符号化すべきデータおよび／または符号化のための命令を含む。例えば、ｅＮＢオペレーション・モジュール１８２は、送信データ１０５および／または他の情報１０１を符号化するようにエンコーダ１０９に命令する。
【００９６】
エンコーダ１０９は、送信データ１０５および／またはｅＮＢオペレーション・モジュール１８２によって提供された他の情報１０１を符号化する。例えば、データ１０５および／または他の情報１０１の符号化は、誤り検出および／または訂正符号化、送信のための空間、時間および／または周波数リソースへのデータのマッピング、多重化などを伴う。エンコーダ１０９は、符号化データ１１１を変調器１１３へ供給する。送信データ１０５は、ＵＥ１０２へ伝えられることになるネットワーク・データを含む。
【００９７】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【００９８】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（または、いつ送信すべきでないか）を１つ以上の送信機１１７に命令する。いくつかの実装において、これは、ＵＬ／ＤＬ再構成ＤＣＩに基づく。１つ以上の送信機１１７は、変調信号（単数または複数）１１５を１つ以上のＵＥ１０２へアップコンバートして送信する。
【００９９】
留意すべきは、ＤＬサブフレームがｅＮＢ１６０から１つ以上のＵＥ１０２へ送信され、ＵＬサブフレームが１つ以上のＵＥ１０２からｅＮＢ１６０へ送信されることである。そのうえ、ｅＮＢ１６０も１つ以上のＵＥ１０２も標準スペシャルサブフレームでデータを送信する。
【０１００】
同様に留意すべきは、ｅＮＢ（単数または複数）１６０およびＵＥ（単数または複数）１０２に含まれる要素またはその部分の１つ以上がハードウェアで実装されてもよいことである。例えば、これらの要素またはその部分の１つ以上は、チップ、回路素子またはハードウェア・コンポーネントなどとして実装されてもよい。同様に留意すべきは、本明細書に記載される機能または方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ：ａｐｐｌｉｃａｔｉｏｎ‐ｓｐｅｃｉｆｉｃ  ｉｎｔｅｇｒａｔｅｄ  ｃｉｒｃｕｉｔ）、大規模集積回路（ＬＳＩ：ｌａｒｇｅ‐ｓｃａｌｅ  ｉｎｔｅｇｒａｔｅｄ  ｃｉｒｃｕｉｔ）または集積回路などで実装されてもよく、および／またはそれらを用いて実現されてもよい。
【０１０１】
図２は、ＵＥ１０２によるＳＣｅｌｌ  ＩＤ選択のための方法２００の一実装を示すフロー図である。方法２００は、図１と関連して先に記載されたＵＥ１０２によって行われる。
【０１０２】
ＵＥ１０２は、物理セル識別子ＩＥ１２３をｅＮＢ１６０から受信する（ステップ２０２）。物理セル識別子ＩＥ１２３は、アンライセンスＬＴＥキャリア周波数上にあるＳＣｅｌｌと関連付けられる。一構成において、物理セル識別子ＩＥ１２３は、ＳＣｅｌｌ追加ＩＥに含められる。例えば、ＳＣｅｌｌ追加ＩＥは、ｓＣｅｌｌＴｏＡｄｄＭｏｄＬｉｓｔ‐ｒ１０  ＩＥであってもよい。
【０１０３】
一構成において、ＳＣｅｌｌ追加ＩＥは、ＵＥ１０２へ送信される無線リソース制御（ＲＲＣ）接続再構成メッセージ（例えば、ＲＲＣＣｏｎｎｅｃｔｉｏｎＲｅｃｏｎｆｉｇｕｒａｔｉｏｎメッセージ）に含められる。ＲＲＣ接続再構成メッセージは、ＲＲＣ接続を修正するためのコマンドである。ＲＲＣ接続再構成メッセージは、測定設定、モビリティ制御ならびに無線リソース構成（無線ベアラ（ＲＥ：ｒａｄｉｏ  ｂｅａｒｅｒ）、ＭＡＣ主構成および物理チャネル構成を含む）に関する情報を伝える。この構成は、関連する専用非アクセス層（ＮＡＳ）情報およびセキュリティ構成を含む。
【０１０４】
ＳＣｅｌｌ追加ＩＥは、ＵＥ１０２がＰＣｅｌｌに加えてＳＣｅｌｌをチューニングするようにその受信機を設定するためにＵＥ１０２に関して必要情報をＰＣｅｌｌから得ることを許容する。一構成において、物理セル識別子ＩＥ１２３は、ｐｈｙｓＣｅｌｌＩｄ‐ｒ１０  ＩＥである。物理セル識別子ＩＥ１２３は、ＳＣｅｌｌのＰＣＩ１２５を提供する。
【０１０５】
ＵＥ１０２は、物理セル識別子ＩＥ１２３に基づいてＳＣｅｌｌのＰＣＩ１２５を確定する（ステップ２０４）。例えば、ＵＥ１０２は、ＳＣｅｌｌがアンライセンスＬＴＥキャリア周波数上にあると判断する。一構成において、ＵＥ１０２は、図４と関連して記載されるように、ｅＮＢ１６０から受信したＤＬキャリア周波数ＩＥ１２７に基づいてＳＣｅｌｌがアンライセンスＬＴＥキャリア周波数上にあると判断する。別の構成では、ＵＥ１０２は、図５と関連して記載されるように、ＳＣｅｌｌがアンライセンスＬＴＥキャリア周波数上にあるという指示に基づいてＳＣｅｌｌがアンライセンスＬＴＥキャリア周波数上にあると判断する。
【０１０６】
ＳＣｅｌｌがアンライセンスＬＴＥキャリア周波数上にあるとＵＥ１０２が判断した場合には、ＵＥ１０２は、ＳＣｅｌｌのＰＣＩ１２５を物理セル識別子ＩＥ１２３から得る。言い換えれば、ＳＣｅｌｌがアンライセンスＬＴＥキャリア周波数上にあるため、ＳＣｅｌｌは、ＰＳＳおよび／またはＳＳＳを送信しない。それゆえに、ＵＥ１０２は、ＳＣｅｌｌのＰＣＩ１２５を代わりに物理セル識別子ＩＥ１２３上から得る。
【０１０７】
ＳＣｅｌｌがアンライセンスＬＴＥキャリア周波数上にあるとＵＥ１０２が判断した場合には、ＵＥ１０２は、ＳＣｅｌｌによってＰＳＳもＳＳＳも送信されないと想定することに留意すべきである。代わりに、ＳＣｅｌｌがアンライセンスＬＴＥキャリア周波数上にあるとＵＥ１０２が判断した場合には、ＵＥ１０２は、ＳＣｅｌｌによってＰＳＳまたはＳＳＳがすべての定義された機会に送信されるわけではないと想定する。そのうえ、ＵＥ１０２は、ＳＣｅｌｌおよびＰＣｅｌｌが少なくとも時刻同期されていると想定する。
【０１０８】
ＵＥ１０２は、ＳＣｅｌｌ上の物理チャネルまたは信号のためのパラメータとしてＰＣＩ１２５を適用する（ステップ２０６）。例えば、ＵＥ１０２は、ＳＣｅｌｌのＰＣＩ１２５に基づいてｅＮＢ１６０とともにスクランブルシーケンス初期化を行う。ＰＣＩ１２５を用いて、ＵＥ１０２は、次に、ＳＣｅｌｌからの基本データおよびＵＥ固有データを復号して読み出す。
【０１０９】
図３は、ｅＮＢ１６０によるＳＣｅｌｌ  ＩＤ選択のための方法３００の一実装を示すフロー図である。ｅＮＢ１６０は、アンライセンスＬＴＥキャリア周波数上にあるＳＣｅｌｌのＰＣＩ１２５を確定する（ステップ３０２）。一構成において、ｅＮＢ１６０は、ＳＣｅｌｌ上ではＰＳＳおよび／またはＳＳＳを送信しない。別の構成では、ｅＮＢ１６０は、ＳＣｅｌｌ上でＰＳＳおよび／またはＳＳＳを送信することをいくつかの機会に無効にする。そのうえ、ＳＣｅｌｌおよびＰＣｅｌｌは、少なくとも時刻同期される。
【０１１０】
ｅＮＢ１６０は、ＳＣｅｌｌのＰＣＩ１２５のための物理セル識別子ＩＥ１２３をＵＥ１０２へ送信する（ステップ３０４）。一構成において、物理セル識別子ＩＥ１２３は、ＳＣｅｌｌ追加ＩＥに含められる。例えば、ＳＣｅｌｌ追加ＩＥは、ｓＣｅｌｌＴｏＡｄｄＭｏｄＬｉｓｔ‐ｒ１０  ＩＥであってもよい。一構成において、物理セル識別子ＩＥ１２３は、ｐｈｙｓＣｅｌｌＩｄ‐ｒ１０  ＩＥである。ＳＣｅｌｌのＰＣＩ１２５は、物理セル識別子ＩＥ１２３に含められてもよい。
【０１１１】
ｅＮＢ１６０は、ＳＣｅｌｌがアンライセンスＬＴＥキャリア周波数上にあるとＵＥ１０２が判断することを想定する。一構成において、ｅＮＢ１６０は、図４と関連して記載されるように、ＵＥ１０２へ送信された下りリンク（ＤＬ）キャリア周波数ＩＥ１２７に基づいてＳＣｅｌｌがアンライセンスＬＴＥキャリア周波数上にあるとＵＥ１０２が判断することを想定する。別の構成において、ｅＮＢ１６０は、図５と関連して記載されるように、ｅＮＢ１６０によって送信された指示に基づいてＳＣｅｌｌがアンライセンスＬＴＥキャリア周波数上にあるとＵＥ１０２が判断することを想定する。
【０１１２】
ｅＮＢ１６０は、ＵＥ１０２が物理セル識別子ＩＥ１２３に基づいてＳＣｅｌｌのＰＣＩ１２５を確定すると想定する。ＳＣｅｌｌがアンライセンスＬＴＥキャリア周波数上にあるとＵＥ１０２が判断した場合には、ＵＥ１０２は、ＳＣｅｌｌのＰＣＩ１２５を物理セル識別子ＩＥ１２３から得る。言い換えれば、ＳＣｅｌｌがアンライセンスＬＴＥキャリア周波数上にあるため、ｅＮＢ１６０は、ＳＣｅｌｌ上ではＰＳＳおよび／またはＳＳＳを送信しない。それゆえに、ＵＥ１０２は、ＳＣｅｌｌのＰＣＩ１２５を代わりにｅＮＢ１６０によって送信された物理セル識別子ＩＥ１２３上から得る。
【０１１３】
ｅＮＢ１６０は、ＳＣｅｌｌ上の物理チャネルまたは信号のためのパラメータとしてＰＣＩ１２５を適用する（ステップ３０６）。例えば、ｅＮＢ１６０は、ＳＣｅｌｌのＰＣＩ１２５に基づいてＵＥ１０２とともにスクランブルシーケンス初期化を行う。ＰＣＩ１２５を用いて、ｅＮＢ１６０は、ＳＣｅｌｌからの基本データおよびＵＥ固有データを符号化して送信する。
【０１１４】
図４は、ＵＥ１０２によるＳＣｅｌｌ  ＩＤ選択のための方法４００の別の実装を示すフロー図である。方法４００は、図１と関連して先に記載されたＵＥ１０２によって行われる。ＵＥ１０２は、ＳＣｅｌｌ追加ＩＥをｅＮＢ１６０から受信する（ステップ４０２）。一構成において、ＳＣｅｌｌ追加ＩＥは、ｓＣｅｌｌＴｏＡｄｄＭｏｄＬｉｓｔ‐ｒ１０  ＩＥである。ＳＣｅｌｌ追加ＩＥは、ＵＥ１０２がＰＣｅｌｌに加えてＳＣｅｌｌをチューニングするようにその受信機を設定するためにＵＥ１０２に関してＰＣｅｌｌから情報を得ることを許容する。
【０１１５】
ＵＥ１０２は、ＤＬキャリア周波数ＩＥ１２７をＳＣｅｌｌ追加ＩＥから得る（ステップ４０４）。ＤＬキャリア周波数ＩＥ１２７は、ＳＣｅｌｌ追加ＩＥに含められてもよい。一構成において、ＤＬキャリア周波数ＩＥ１２７は、ｄｌ‐ＣａｒｒｉｅｒＦｒｅｑ‐ｒ１０  ＩＥまたはｄｌ‐ＣａｒｒｉｅｒＦｒｅｑ‐ｖ１０９０  ＩＥであってもよい。いくつかの構成において、ｄｌ‐ＣａｒｒｉｅｒＦｒｅｑ‐ｖ１０９０  ＩＥがｄｌ‐ＣａｒｒｉｅｒＦｒｅｑ‐ｒ１０  ＩＥを置き換えてもよい。ｄｌ‐ＣａｒｒｉｅｒＦｒｅｑ‐ｖ１０９０  ＩＥは、より広い範囲のＡＲＦＣＮ値を提供する。
【０１１６】
ＵＥ１０２は、ＳＣｅｌｌの絶対無線周波数チャネル番号（ＡＲＦＣＮ）をＤＬキャリア周波数ＩＥ１２７から得る（ステップ４０６）。一構成において、ＤＬキャリア周波数ＩＥ１２７は、ＳＣｅｌｌのためのＡＲＦＣＮ‐ＶａｌｕｅＥＵＴＲＡパラメータまたはＡＲＦＣＮ‐ＶａｌｕｅＥＵＴＲＡ‐ｖ９ｅ０を含みうる。ＡＲＦＣＮ‐ＶａｌｕｅＥＵＴＲＡは、下りリンク、上りリンクまたは双方向（ＴＤＤ）Ｅ‐ＵＴＲＡキャリア周波数に適用可能なＡＲＦＣＮを示すために用いられる。ある１つの拡張が（ＡＲＦＣＮ‐ＶａｌｕｅＥＵＴＲＡ‐ｖ９ｅ０によって定義されるような）拡張値の範囲を用いてシグナリングされた場合、ＵＥ１０２は、この拡張のみを考慮して、対応する元のフィールドを無視してもよい。ＵＥ１０２は、ＡＲＦＣＮ‐ＶａｌｕｅＥＵＴＲＡ（すなわち、シグナリングされる場合、サフィックスなし）によって定義されるような値の範囲を用いる。専用シグナリングでは、Ｅ‐ＵＴＲＡＮは、ＵＥ１０２によってサポートされるＥ‐ＵＴＲＡバンドに対応するＥＡＲＦＣＮのみを提供する。
【０１１７】
ＵＥ１０２は、ＳＣｅｌｌがアンライセンスＬＴＥキャリア周波数上にあると判断するためにＡＲＦＣＮに基づいてテーブルルックアップを行う（ステップ４０８）。例えば、ＵＥ１０２は、ＡＲＦＣＮ値およびＡＲＦＣＮ値と関連付けられたキャリア周波数を含んだルックアップテーブルを含む。ＤＬキャリア周波数ＩＥ１２７から得られたＡＲＦＣＮを用いて、ＵＥ１０２は、ＳＣｅｌｌと関連付けられたキャリア周波数をルックアップテーブルから得る。それゆえに、ＵＥ１０２は、ＡＲＦＣＮがアンライセンスＬＴＥキャリア周波数に対応するかどうかを判断する。例えば、ＳＣｅｌｌのＡＲＦＣＮを用いて、ＵＥ１０２は、ＳＣｅｌｌが２．４ＧＨｚ  ＩＳＭまたは５ＧＨｚ  ＵＮＩＩバンド内のアンライセンスＬＴＥキャリア周波数に帰着するかどうかを判断する。
【０１１８】
ＳＣｅｌｌがアンライセンスＬＴＥキャリア周波数上にあるとＵＥ１０２が判断した場合には、ＵＥ１０２は、ＳＣｅｌｌによってＰＳＳもＳＳＳも送信されないと想定する。そのうえ、ＵＥ１０２は、ＳＣｅｌｌおよびＰＣｅｌｌが少なくとも時刻同期されていると想定する。
【０１１９】
ＵＥ１０２は、物理セル識別子ＩＥ１２３をＳＣｅｌｌ追加ＩＥから得る（ステップ４１０）。物理セル識別子ＩＥ１２３は、ＳＣｅｌｌ追加ＩＥによって提供されてもよい。一構成において、物理セル識別子ＩＥ１２３は、ｐｈｙｓＣｅｌｌＩｄ‐ｒ１０  ＩＥである。
【０１２０】
ＵＥ１０２は、物理セル識別子ＩＥ１２３に基づいてＳＣｅｌｌのＰＣＩ１２５を確定する（ステップ４１２）。一構成において、物理セル識別子ＩＥ１２３は、データフィールドにおけるエントリとしてＳＣｅｌｌのＰＣＩ１２５を含む。
【０１２１】
ＵＥ１０２は、ＳＣｅｌｌ上の物理チャネルまたは信号のためのパラメータとしてＰＣＩ１２５を適用する（ステップ４１４）。これは、図２と関連して先に記載されたように達成される。例えば、ＵＥ１０２は、ＳＣｅｌｌのＰＣＩ１２５に基づいてｅＮＢ１６０とともにスクランブルシーケンス初期化を行う。ＰＣＩ１２５を用いて、ＵＥ１０２は、次に、ＳＣｅｌｌからの基本データおよびＵＥ固有データを復号して読み出す。
【０１２２】
図５は、ＵＥ１０２によるＳＣｅｌｌ  ＩＤ選択のための方法５００のさらに別の実装を示すフロー図である。方法５００は、図１と関連して先に記載されたＵＥ１０２によって行われる。ＵＥ１０２は、ＳＣｅｌｌ追加ＩＥをｅＮＢ１６０から受信する（ステップ５０２）。一構成において、ＳＣｅｌｌ追加ＩＥは、ｓＣｅｌｌＴｏＡｄｄＭｏｄＬｉｓｔ‐ｒ１０  ＩＥである。
【０１２３】
ＵＥ１０２は、ＳＣｅｌｌがアンライセンスＬＴＥキャリア周波数上にあるというｅＮＢ１６０からの指示を受信する（ステップ５０４）。例えば、ＳＣｅｌｌがアンライセンスＬＴＥキャリア周波数上にあるかどうかを示す新しいＩＥがｅＮＢ１６０から送信される。一構成において、ｅＮＢ１６０は、ＵＥ１０２がＳＣｅｌｌに近接していると判断する。ｅＮＢ１６０は、ＵＥ１０２がＳＣｅｌｌにチューニングしてそれを測定できるように必要情報を用いて（例えば、ＲＲＣ接続再構成メッセージを通じて）ＵＥ１０２を再構成する。ＲＲＣ接続再構成メッセージは、ＰＣｅｌｌ上のＰＤＳＣＨを通じてＵＥ１０２へ送信される。
【０１２４】
一構成において、ＩＥがＴＲＵＥにセットされているとき、これは、ＳＣｅｌｌがアンライセンスＬＴＥ周波数上にあることをＵＥ１０２に示す。それゆえに、ＵＥ１０２は、ＳＣｅｌｌがアンライセンスＬＴＥキャリア周波数上にあるという指示を受信するステップに基づいてＳＣｅｌｌがアンライセンスＬＴＥキャリア周波数上にあると判断する。
【０１２５】
この指示は、ＳＣｅｌｌ追加ＩＥに含まれる情報がＵ‐ＬＴＥ  ＳＣｅｌｌを対象とすることをＵＥ１０２にさらに示す。それゆえに、ＵＥ１０２は、ＳＣｅｌｌによってＰＳＳもＳＳＳも送信されないと想定する。そのうえ、ＵＥ１０２は、ＳＣｅｌｌおよびＰＣｅｌｌが少なくとも時刻同期されていると想定する。
【０１２６】
ＵＥ１０２は、物理セル識別子ＩＥ１２３をＳＣｅｌｌ追加ＩＥから得る（ステップ５０６）。物理セル識別子ＩＥ１２３は、ＳＣｅｌｌ追加ＩＥによって提供されてもよい。一構成において、物理セル識別子ＩＥ１２３は、ｐｈｙｓＣｅｌｌＩｄ‐ｒ１０  ＩＥである。
【０１２７】
ＵＥ１０２は、物理セル識別子ＩＥ１２３に基づいてＳＣｅｌｌのＰＣＩ１２５を確定する（ステップ５０８）。一構成において、物理セル識別子ＩＥ１２３は、データフィールドにおけるエントリとしてＳＣｅｌｌのＰＣＩ１２５を含む。
【０１２８】
ＵＥ１０２は、ＳＣｅｌｌ上の物理チャネルまたは信号のためのパラメータとしてＰＣＩ１２５を適用する（ステップ５１０）。これは、図２と関連して先に記載されたように達成される。例えば、ＵＥ１０２は、ＳＣｅｌｌのＰＣＩ１２５に基づいてｅＮＢ１６０とともにスクランブルシーケンス初期化を行う。ＰＣＩ１２５を用いて、ＵＥ１０２は、次に、ＳＣｅｌｌからの基本データおよびＵＥ固有データを復号して読み出す。
【０１２９】
図６は、ＳＣｅｌｌ  ＩＤ選択を行うためのｅＮＢ６６０およびＵＥ６０２の詳細な構成を示すブロック図である。図６と関連して記載されるＵＥ６０２およびｅＮＢ６６０は、図１と関連して記載されたＵＥ１０２およびｅＮＢ１６０に従って実装される。例えば、ＵＥ６０２およびｅＮＢ６６０は、相互に通信するために１つ以上のチャネル６１９、６２１を用いる。
【０１３０】
ｅＮＢ６６０は、ｅＮＢオペレーション・モジュール６８２を含む。一般に、ｅＮＢオペレーション・モジュール６８２は、ｅＮＢ６６０が１つ以上のＵＥ６０２と通信することを可能にする。ｅＮＢオペレーション・モジュール６８２は、ＳＣｅｌｌパラメータ確定モジュール６２９およびｅＮＢ  ＳＣｅｌｌ取得モジュール６３１のうちの１つ以上を含む。
【０１３１】
ＳＣｅｌｌパラメータ確定モジュール６２９は、アンライセンスＬＴＥキャリア周波数上にあるＳＣｅｌｌのＰＣＩ６２５を確定する。ＳＣｅｌｌパラメータ確定モジュール６２９は、ＰＣＩ６２５をｐｈｙｓＣｅｌｌＩｄ  ＩＥ６２３に含める。
【０１３２】
ＳＣｅｌｌパラメータ確定モジュール６２９は、ＳＣｅｌｌのＡＲＦＣＮ‐ＶａｌｕｅＥＵＴＲＡ６３５も確定する。ＡＲＦＣＮ‐ＶａｌｕｅＥＵＴＲＡ６３５は、ＳＣｅｌｌのキャリア周波数を識別するためのテーブルルックアップ値である。ＡＲＦＣＮ‐ＶａｌｕｅＥＵＴＲＡ６３５は、ｄｌ‐ＣａｒｒｉｅｒＦｒｅｑ  ＩＥ６２７に含まれてもよい。ｄｌ‐ＣａｒｒｉｅｒＦｒｅｑ  ＩＥ６２７は、ｄｌ‐ＣａｒｒｉｅｒＦｒｅｑ‐ｒ１０  ＩＥまたはｄｌ‐ＣａｒｒｉｅｒＦｒｅｑ‐ｖ１０９０  ＩＥのうちの１つであってもよい。ｐｈｙｓＣｅｌｌＩｄ６２３およびｄｌ‐ＣａｒｒｉｅｒＦｒｅｑ  ＩＥ６２７は、ＵＥ６０２へ送信されるｓＣｅｌｌＴｏＡｄｄＭｏｄＬｉｓｔ‐ｒ１０  ＩＥ６３３に含められてもよい。
【０１３３】
ｅＮＢ  ＳＣｅｌｌ取得モジュール６３１は、ＳＣｅｌｌ上の物理チャネルまたは信号のためのパラメータとしてＰＣＩ６２５を適用する。例えば、ｅＮＢ６６０は、ＳＣｅｌｌのＰＣＩ６２５に基づいてＵＥ６０２とともにスクランブルシーケンス初期化を行う。ＳＣｅｌｌのＰＣＩ６２５を用いて、ｅＮＢ６６０は、ＳＣｅｌｌからの基本データおよびＵＥ固有データを符号化して送信する。
【０１３４】
ＵＥオペレーション・モジュール６２４は、ＵＥ６０２がｅＮＢ６６０と通信することを可能にする。ＵＥオペレーション・モジュール６２４は、Ｕ‐ＬＴＥ判断モジュール６２８、ＳＣｅｌｌ  ＰＣＩ確定モジュール６３０およびＵＥ  ＳＣｅｌｌ取得モジュール６３２のうちの１つ以上を含む。
【０１３５】
Ｕ‐ＬＴＥ判断モジュール６２８は、ＳＣｅｌｌがアンライセンスＬＴＥキャリア周波数上にあるかどうかを判断する。一構成において、Ｕ‐ＬＴＥ判断モジュール６２８は、ｅＮＢ６６０から受信したｄｌ‐ＣａｒｒｉｅｒＦｒｅｑ  ＩＥ６２７に基づいてＳＣｅｌｌがアンライセンスＬＴＥキャリア周波数上にあると判断する。Ｕ‐ＬＴＥ判断モジュール６２８は、ＳＣｅｌｌのＡＲＦＣＮ‐ＶａｌｕｅＥＵＴＲＡ６３５をｄｌ‐ＣａｒｒｉｅｒＦｒｅｑ  ＩＥ６２７から得る。Ｕ‐ＬＴＥ判断モジュール６２８は、次に、ＳＣｅｌｌがアンライセンスＬＴＥキャリア周波数上にあるかどうかを判断するために、ＳＣｅｌｌのＡＲＦＣＮ‐ＶａｌｕｅＥＵＴＲＡ６３５を用いてテーブルルックアップを行う。
【０１３６】
別の構成では、Ｕ‐ＬＴＥ判断モジュール６２８は、ｅＮＢ６６０から受信した指示に基づいてＳＣｅｌｌがアンライセンスＬＴＥキャリア周波数上にあると判断する。この指示は、ＳＣｅｌｌがアンライセンスＬＴＥキャリア周波数上にあることを示す情報要素であってもよい。
【０１３７】
ＳＣｅｌｌ  ＰＣＩ確定モジュール６３０は、ｐｈｙｓＣｅｌｌＩｄ６２３に基づいてＳＣｅｌｌのＰＣＩ６２５を確定する。ＳＣｅｌｌ  ＰＣＩ確定モジュール６３０は、ｐｈｙｓＣｅｌｌＩｄ６２３をｅＮＢ６６０から送信されたｓＣｅｌｌＴｏＡｄｄＭｏｄＬｉｓｔ‐ｒ１０  ＩＥ６３３から得る。ＳＣｅｌｌがアンライセンスＬＴＥキャリア周波数上にあるとＵ‐ＬＴＥ判断モジュール６２８が判断した場合には、ＳＣｅｌｌ  ＰＣＩ確定モジュール６３０は、ＳＣｅｌｌのＰＣＩ６２５をｐｈｙｓＣｅｌｌＩｄ６２３から得る。
【０１３８】
ＵＥ  ＳＣｅｌｌ取得モジュール６３２は、ＳＣｅｌｌ上の物理チャネルまたは信号のためのパラメータとしてＰＣＩ６２５を適用する。例えば、ＵＥ  ＳＣｅｌｌ取得モジュール６３２は、ＳＣｅｌｌのＰＣＩ６２５に基づいてｅＮＢ６６０とともにスクランブルシーケンス初期化を行う。ＰＣＩ６２５を用いて、ＵＥ  ＳＣｅｌｌ取得モジュール６３２は、次に、ＳＣｅｌｌからの基本データおよびＵＥ固有データを復号して読み出す。
【０１３９】
図７は、ＵＥ６０２によるＳＣｅｌｌ  ＩＤ選択のための方法７００のより詳細な実装を示すフロー図である。方法７００は、図６と関連して先に記載されたＵＥ６０２によって行われる。ＵＥ６０２は、ｓＣｅｌｌＴｏＡｄｄＭｏｄＬｉｓｔ‐ｒ１０  ＩＥ６３３をｅＮＢ６６０から受信する（ステップ７０２）。ｓＣｅｌｌＴｏＡｄｄＭｏｄＬｉｓｔ‐ｒ１０  ＩＥ６３３は、ＵＥ６０２がＰＣｅｌｌに加えてＳＣｅｌｌをチューニングするようにその受信機を設定するためにＵＥ６０２に関してＰＣｅｌｌから情報を得ることを許容する。
【０１４０】
ＵＥ６０２は、ｄｌ‐ＣａｒｒｉｅｒＦｒｅｑ  ＩＥ６２７をＳＣｅｌｌ追加ＩＥから得る（ステップ７０４）。ｄｌ‐ＣａｒｒｉｅｒＦｒｅｑ  ＩＥ６２７は、ｄｌ‐ＣａｒｒｉｅｒＦｒｅｑ‐ｒ１０  ＩＥまたはｄｌ‐ＣａｒｒｉｅｒＦｒｅｑ‐ｖ１０９０  ＩＥのうちの１つであってもよい。ｄｌ‐ＣａｒｒｉｅｒＦｒｅｑ  ＩＥ６２７は、ｓＣｅｌｌＴｏＡｄｄＭｏｄＬｉｓｔ‐ｒ１０  ＩＥ６３３に含められてもよい。
【０１４１】
ＵＥ６０２は、ＳＣｅｌｌのＡＲＦＣＮ‐ＶａｌｕｅＥＵＴＲＡ６３５をｄｌ‐ＣａｒｒｉｅｒＦｒｅｑ  ＩＥ６２７から得る（ステップ７０６）。ＡＲＦＣＮ‐ＶａｌｕｅＥＵＴＲＡ６３５は、ＳＣｅｌｌのキャリア周波数を識別するためのテーブルルックアップ値である。ＵＥ６０２は、ＳＣｅｌｌがアンライセンスＬＴＥキャリア周波数上にあると判断するためにＡＲＦＣＮ‐ＶａｌｕｅＥＵＴＲＡ６３５に基づいてテーブルルックアップを行う（ステップ７０８）。例えば、ＡＲＦＣＮ‐ＶａｌｕｅＥＵＴＲＡ６３５を用いて、ＵＥ６０２は、ＳＣｅｌｌと関連付けられたキャリア周波数をルックアップテーブルから得る。それゆえに、ＵＥ６０２は、ＡＲＦＣＮ‐ＶａｌｕｅＥＵＴＲＡ６３５がアンライセンスＬＴＥキャリア周波数に対応するかどうかを判断する。
【０１４２】
ＵＥ６０２は、ｐｈｙｓＣｅｌｌＩｄ  ＩＥ６２３をｓＣｅｌｌＴｏＡｄｄＭｏｄＬｉｓｔ‐ｒ１０  ＩＥ６３３から得る（ステップ７１０）。ＵＥ６０２は、ｐｈｙｓＣｅｌｌＩｄ  ＩＥ６２３に基づいてＳＣｅｌｌのＰＣＩ６２５を確定する（ステップ７１２）。一構成において、ｐｈｙｓＣｅｌｌＩｄ  ＩＥ６２３は、データフィールドにおけるエントリとしてＳＣｅｌｌのＰＣＩ６２５を含む。
【０１４３】
ＵＥ６０２は、ＳＣｅｌｌ上の物理チャネルまたは信号のためのパラメータとしてＰＣＩ６２５を適用する（ステップ７１４）。例えば、ＵＥ６０２は、ＳＣｅｌｌのＰＣＩ６２５に基づいてｅＮＢ６６０とともにスクランブルシーケンス初期化を行う。ＰＣＩ６２５を用いて、ＵＥ６０２は、次に、ＳＣｅｌｌからの基本データおよびＵＥ固有データを復号して読み出す。
【０１４４】
図８は、ＵＥ８０２において利用される様々なコンポーネントを示す。図８と関連して記載されるＵＥ８０２は、図１と関連して記載されたＵＥ１０２および／または図６と関連して記載されたＵＥ６０２に従って実装される。ＵＥ８０２は、ＵＥ８０２のオペレーションを制御するプロセッサ８６３を含む。プロセッサ８６３は、中央処理装置（ＣＰＵ：ｃｅｎｔｒａｌ  ｐｒｏｃｃｅｓｓｉｎｇ  ｕｎｉｔ）とも呼ばれる。メモリ８６９は、リードオンリメモリ（ＲＯＭ：ｒｅａｄ‐ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ８６３に命令８６５ａおよびデータ８６７ａを供給する。メモリ８６９の一部分は、不揮発性ランダムアクセスメモリ（ＮＶＲＡＭ：ｎｏｎ‐ｖｏｌａｔｉｌｅ  ｒａｎｄｏｍ  ａｃｃｅｓｓ  ｍｅｍｏｒｙ）も含んでよい。命令８６５ｂおよびデータ８６７ｂは、プロセッサ８６３にも存在する。プロセッサ８６３に読み込まれた命令８６５ｂおよび／またはデータ８６７ｂは、プロセッサ８６３による実行または処理のために読み込まれた、メモリ８６９からの命令８６５ａおよび／またはデータ８６７ａも含んでよい。命令８６５ｂは、先に記載された方法２００、４００、５００および７００の１つ以上を実装するためにプロセッサ８６３によって実行される。
【０１４５】
ＵＥ８０２は、データの送受信を許容するための１つ以上の送信機８５８および１つ以上の受信機８２０が入った筺体も含む。送信機（単数または複数）８５８および受信機（単数または複数）８２０は、１つ以上のトランシーバ８１８に組み合わされてもよい。１つ以上のアンテナ８２２ａ〜ｎは、筺体に取り付けられて、トランシーバ８１８に電気的に結合される。
【０１４６】
ＵＥ８０２の様々なコンポーネントは、データバスに加えて、電力バス、制御信号バスおよびステータス信号バスを含むバスシステム８７１によって結合される。しかしながら、明確さのために、図８では様々なバスがバスシステム８７１として示される。ＵＥ８０２は、信号処理用のデジタル信号プロセッサ（ＤＳＰ：ｄｉｇｉｔａｌ  ｓｉｇｎａｌ  ｐｒｏｃｅｓｓｏｒ）８７３も含んでよい。ＵＥ８０２は、ＵＥ８０２の機能へのユーザ・アクセスを提供する通信インターフェース８７５も含んでよい。図８に示されるＵＥ８０２は、具体的なコンポーネントのリスティングではなく、機能ブロック図である。
【０１４７】
図９は、ｅＮＢ９６０において利用される様々なコンポーネントを示す。図９と関連して記載されるｅＮＢ９６０は、図１と関連して記載されたｅＮＢ１６０に従って実装される。ｅＮＢ９６０は、ｅＮＢ９６０のオペレーションを制御するプロセッサ９７７を含む。プロセッサ９７７は、中央処理装置（ＣＰＵ）とも呼ばれる。メモリ９８３は、リードオンリメモリ（ＲＯＭ）、ランダムアクセスメモリ（ＲＡＭ）、これら２つの組み合わせ、あるいは情報を記憶する任意のタイプのデバイスを含み、プロセッサ９７７に命令９７９ａおよびデータ９８１ａを供給する。メモリ９８３の一部分は、不揮発性ランダムアクセスメモリ（ＮＶＲＡＭ）も含んでよい。命令９７９ｂおよびデータ９８１ｂは、プロセッサ９７７にも存在する。プロセッサ９７７に読み込まれた命令９７９ｂおよび／またはデータ９８１ｂは、プロセッサ９７７による実行または処理のために読み込まれた、メモリ９８３からの命令９７９ａおよび／または９８１ａも含む。命令９７９ｂは、先に記載された方法３００を実装するためにプロセッサ９７７によって実行される。
【０１４８】
ｅＮＢ９６０は、データの送受信を許容するための１つ以上の送信機９１７および１つ以上の受信機９７８が入った筺体も含む。送信機（単数または複数）９１７および受信機（単数または複数）９７８は、１つ以上のトランシーバ９７６に組み合わされてもよい。１つ以上のアンテナ９８０ａ〜ｎは、筺体に取り付けられて、トランシーバ９７６に電気的に結合される。
【０１４９】
ｅＮＢ９６０の様々なコンポーネントは、データバスに加えて、電力バス、制御信号バスおよびステータス信号バスを含むバスシステム９８５によって結合される。しかしながら、明確さのために、図９では様々なバスがバスシステム９８５として示される。ｅＮＢ９６０は、信号処理用のデジタル信号プロセッサ（ＤＳＰ）９８７も含んでよい。ｅＮＢ９６０は、ｅＮＢ９６０の機能へのユーザ・アクセスを提供する通信インターフェース９８９も含んでよい。図９に示されるｅＮＢ９６０は、具体的なコンポーネントのリスティングではなく、機能ブロック図である。
【０１５０】
図１０は、フィードバック・レポーティングのためのシステムおよび方法が実装されたＵＥ１００２の一構成を示すブロック図である。ＵＥ１００２は、送信手段１０５８、受信手段１０２０および制御手段１０２４を含む。送信手段１０５８、受信手段１０２０および制御手段１０２４は、上の図２、図４、図５および図７と関連して記載された機能の１つ以上を行うように構成される。上の図８は、図１０の具体的な装置構造の一例を示す。図２、図４、図５および図７の機能の１つ以上を実現するために、他の様々な構造が実装されてもよい。例えば、ＤＳＰがソフトウェアによって実現されてもよい。
【０１５１】
図１１は、フィードバック・レポーティングのためのシステムおよび方法が実装されたｅＮＢ１１６０の一構成を示すブロック図である。ｅＮＢ１１６０は、送信手段１１１７、受信手段１１７８および制御手段１１８２を含む。送信手段１１１７、受信手段１１７８および制御手段１１８２は、上の図３と関連して記載された機能の１つ以上を行うように構成される。上の図９は、図１１の具体的な装置構造の一例を示す。図３の機能の１つ以上を実現するために、他の様々な構造が実装されてもよい。例えば、ＤＳＰがソフトウェアによって実現されてもよい。
【０１５２】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、電気的消去可能プログラマブルリードオンリーメモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）、コンパクトディスク・リードオンリーメモリ（ＣＤ‐ＲＯＭ）、または他の光ディスク記憶、磁気ディスク記憶もしくは他の磁気記憶デバイス、あるいは命令の形態の所望のプログラムコードまたはデータ構造を載せるかもしくは記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ‐ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１５３】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０１５４】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特許請求の範囲から逸脱することなく、特定のステップおよび／または動作の順序および／または使用が修正されてもよい。
【０１５５】
当然のことながら、特許請求の範囲は、先に示された通りの構成および構成要素には限定されない。特許請求の範囲から逸脱することなく、本明細書に記載される配置、オペレーション、ならびにシステム、方法、および装置の詳細に様々な修正、変更および変形がなされてもよい。
【０１５６】
特許請求の範囲は、添付書類の通りである。
【図１】
0006533530.tif 000033
【図２】
0006533530.tif 000034
【図３】
0006533530.tif 000035
【図４】
0006533530.tif 000036
【図５】
0006533530.tif 000037
【図６】
0006533530.tif 000038
【図７】
0006533530.tif 000039
【図８】
0006533530.tif 000040
【図９】
0006533530.tif 000041
【図１０】
0006533530.tif 000042
【図１１】
0006533530.tif 000043